(57)【要約】  本技術は、受信可能なワンセグメント放送を、迅速に提示することができるようにする受信装置、受信方法、及び、プログラムに関する。ステーション情報取得部は、ステーション情報を取得し、ステーション選択部は、ステーション情報を用いて、所定の位置において受信可能な放送波を送信しているステーションを、選局可能ステーションとして選択し、周波数特定部は、ステーション情報を用いて、選局可能ステーションが行っている放送の放送波の送信点で用いられる送信周波数を特定し、選局制御部は、送信周波数に従い、選局可能ステーションが行っている放送のサービスを選局する選局制御を行う。本技術は、例えば、携帯可能なワンセグ放送の受信端末等に適用できる。
2014042029.tif 000002
【特許請求の範囲】
【請求項１】
任意のセグメントでの放送の放送波を送信するステーションに関するステーション情報を取得する第１の取得部と、
前記ステーション情報を記憶する記憶部と、
前記ステーション情報を用いて、所定の位置において受信可能な放送波を送信しているステーションを、選局が可能な選局可能ステーションとして選択する選択部と、
前記ステーション情報を用いて、前記選局可能ステーションが行っている前記放送の放送波の送信点で用いられる送信周波数を特定する特定部と、
前記送信周波数に従い、前記選局可能ステーションが行っている前記放送のサービスを選局する選局制御を行う選局制御部と
を備える受信装置。
【請求項２】
前記放送の放送波の送信点ごとの送信用の周波数に関する周波数情報を取得する第２の取得部をさらに備え、
前記特定部は、前記ステーション情報に含まれる、前記送信周波数を特定するための周波数特定情報に基づいて、前記周波数情報により指定される送信点ごとの送信用の周波数の中から、前記送信周波数を特定する
請求項１に記載の受信装置。
【請求項３】
前記放送の放送波は、中継局を経由してMFN(Multi Frequency Network)により送信される
請求項２に記載の受信装置。
【請求項４】
前記ステーション情報は、前記放送の放送波により送信されるNIT(Network Information Table)に含まれるエリア放送記述子に配置され、
前記周波数情報は、前記NITに含まれる地上分配システム記述子に配置される
請求項３に記載の受信装置。
【請求項５】
前記選択部は、前記ステーション情報を用い、ユーザが選択した地域において受信可能な前記放送を送信しているステーションを、前記選局可能ステーションとして選択する
請求項１に記載の受信装置。
【請求項６】
前記選局制御部は、
前記選局可能ステーションの情報を表示させ、
前記選局可能ステーションの情報の表示から、ユーザが選択したステーションが行っている前記放送のサービスを選局させる
請求項１に記載の受信装置。
【請求項７】
前記選局制御部は、
前記選局可能ステーションによる前記放送が受信可能かどうかを確認する受信確認を行い、
放送の受信を確認することができた前記選局可能ステーションのみの情報を表示させる
請求項１に記載の受信装置。
【請求項８】
前記放送は、ワンセグメント放送である
請求項１に記載の受信装置。
【請求項９】
受信装置が、
任意のセグメントでの放送の放送波を送信するステーションに関するステーション情報を取得し、
前記ステーション情報を記憶し、
前記ステーション情報を用いて、所定の位置において受信可能な放送波を送信しているステーションを、選局が可能な選局可能ステーションとして選択し、
前記ステーション情報を用いて、前記選局可能ステーションが行っている前記放送の放送波の送信点で用いられる送信周波数を特定し、
前記送信周波数に従い、前記選局可能ステーションが行っている前記放送のサービスを選局する選局制御を行う
ステップを含む受信方法。
【請求項１０】
任意のセグメントでの放送の放送波を送信するステーションに関するステーション情報を取得する第１の取得部と、
前記ステーション情報を記憶する記憶部と、
前記ステーション情報を用いて、所定の位置において受信可能な放送波を送信しているステーションを、選局が可能な選局可能ステーションとして選択する選択部と、
前記ステーション情報を用いて、前記選局可能ステーションが行っている前記放送の放送波の送信点で用いられる送信周波数を特定する特定部と、
前記送信周波数に従い、前記選局可能ステーションが行っている前記放送のサービスを選局する選局制御を行う選局制御部と
して、コンピュータを機能させるためのプログラム。
【発明の詳細な説明】
【技術分野】
【０００１】
本技術は、受信装置、受信方法、及び、プログラムに関し、特に、受信可能なワンセグメント放送を、迅速に提示することができるようにする受信装置、受信方法、及び、プログラムに関する。
【背景技術】
【０００２】
地上ディジタル放送では、UHF（Ultra High Frequency）帯の約6MHzの周波数帯域（以下、物理チャンネルともいう）が、１３セグメントに分割され、そのうちの、１２セグメントで、テレビジョン受像機等の固定端末向けの放送が行われる。そして、残りの１セグメントで、携帯端末向けの放送、すなわち、ワンセグメント放送（以下、ワンセグ放送ともいう）が行われる。【０００３】
現在、携帯端末向けの放送として行われているワンセグ放送では、固定端末向け放送と同一の内容が放送されており、物理チャンネルの１３セグメントの中央のセグメント（周波数の昇順で、７番目のセグメント）が用いられている。【０００４】
ここで、現在行われている、中央のセグメント（以下、中央セグメントともいう）で行われているワンセグ放送を、通常ワンセグ放送ともいう。【０００５】
地上アナログ放送から地上ディジタル放送に、完全に移行した後は、地上ディジタル放送は、UHF帯の１３ないし５２チャンネルと呼ばれる物理チャンネルで行われることとなる。【０００６】
しかしながら、各地域では、１３ないし５２チャンネルのすべてが、地上ディジタル放送に、実際に用いられるわけではなく、したがって、地上ディジタル放送に用いられない物理チャンネルである空きチャンネルが生じる。【０００７】
現在、この空きチャンネルの有効利用する方法が検討されており、その１つとして、空きチャンネルの任意のセグメントを用いて、ワンセグ放送を行うことが検討されている。【０００８】
ここで、地上ディジタル放送の物理チャンネルは、１３セグメントを有するから、１つの物理チャンネルによれば、最大で、１３のワンセグ放送を行うことができる。１つの物理チャンネルの１３セグメントのうちの、複数のセグメントそれぞれを用いて行う複数のワンセグ放送は、マルチセグメント放送と呼ばれる。【０００９】
なお、１３セグメントのうちの、任意の１以上のセグメントそれぞれを用いて行うワンセグ放送を、任意ワンセグ放送ともいい、任意ワンセグ放送には、マルチセグメント放送も含まれることとする。【００１０】
通常ワンセグ放送を受信する従来の受信端末（以下、通常ワンセグ端末ともいう）では、ユーザが通常ワンセグ放送を選局するために、周波数等の選局に関する情報である選局情報を取得するチャンネルスキャンが行われ、選局情報のテーブル（以下、選局テーブルともいう）が作成される（例えば、特許文献１や２を参照）。【００１１】
通常ワンセグ端末のチャンネルスキャンでは、地上ディジタル放送の各物理チャンネルの中央セグメントが選局（チューニング）され、その中央セグメントにおいて、TS(Transport Stream)を受信することができた場合には、そのTSから、サービスが伝送されるキャリアをチューニングするためのサービスごとの周波数情報と対応サービスについての情報が含まれたテーブルであるNIT(Network Information Table)、及び、各サービスのメタ情報（サービス名等）が含まれたテーブルであるSDT(Service Description Table)が抽出され、そのNIT及びSDTから、選局テーブルが作成される。【００１２】
任意ワンセグ放送を受信する受信端末を実現した場合も、通常ワンセグ端末と同様に、選局テーブルを作成する必要がある。【００１３】
しかしながら、任意ワンセグ放送は、物理チャンネルの１３セグメントのうちの任意のセグメントで行われるため、単純には、チャンネルスキャンにおいて、各物理チャンネルの中央セグメントだけでなく、１３セグメントのすべてを選局する必要があり、通常ワンセグ端末のチャンネルスキャンと比較して、膨大な時間を要する。【００１４】
このため、任意ワンセグ放送のチャンネルスキャンを、迅速に（短時間で）行う方法の提案が要請されている。
【先行技術文献】
【特許文献】
【００１５】
【特許文献１】特開2006-325032号公報
【特許文献２】特開2007-329847号公報
【発明の概要】
【発明が解決しようとする課題】
【００１６】
ところで、任意ワンセグ放送の放送波を送信する送信装置であるステーション（のアンテナ）を中心とする数10mないし数km程度のエリアを、任意ワンセグ放送（の放送波）を受信することができる放送エリアとして行う任意ワンセグ放送（以下、エリア限定放送ともいう）が提案されている。【００１７】
エリア限定放送は、任意ワンセグ放送の範疇に含まれるから、エリア限定放送を受信する受信端末でも、任意ワンセグ放送を受信する場合と同様に、選局テーブルを作成する必要があるが、エリア限定放送では、放送エリアが狭いために、数10mないし数km程度移動しただけで、いままで受信することができた放送を受信することができなくなり、また、新たな放送を受信することが可能となる。したがって、移動前に作成した選局テーブルが、移動後に利用することができなくなることがある。【００１８】
すなわち、いま、ユーザが、いわゆるチャンネルボタンを操作して選局しようとする放送を、論理チャンネルということとすると、エリア限定放送を受信する受信端末において、移動前に作成した選局テーブルに基づき、その移動前に受信可能であったエリア限定放送である論理チャンネルを、移動後に提示し、ユーザが、その論理チャンネルを選局するように操作しても、その論理チャンネルを受信することができないことがある。【００１９】
したがって、移動後に受信可能な論理チャンネルを、ユーザに提示するには、移動後に、再度、チャンネルスキャンを行う必要がある。【００２０】
しかしながら、移動するたびに、チャンネルスキャンを行うのでは、ユーザに受信可能な論理チャンネルを提示するのに時間を要することとなる。【００２１】
本技術は、このような状況に鑑みてなされたものであり、受信可能なワンセグメント放送を、迅速に提示することができるようにするものである。
【課題を解決するための手段】
【００２２】
本技術の一側面の受信装置、又は、プログラムは、任意のセグメントでの放送の放送波を送信するステーションに関するステーション情報を取得する第１の取得部と、前記ステーション情報を記憶する記憶部と、前記ステーション情報を用いて、所定の位置において受信可能な放送波を送信しているステーションを、選局が可能な選局可能ステーションとして選択する選択部と、前記ステーション情報を用いて、前記選局可能ステーションが行っている前記放送の放送波の送信点で用いられる送信周波数を特定する特定部と、前記送信周波数に従い、前記選局可能ステーションが行っている前記放送のサービスを選局する選局制御を行う選局制御部とを備える受信装置、又は、受信装置として、コンピュータを機能させるプログラムである。【００２３】
本技術の一側面の受信方法は、受信装置が、任意のセグメントでの放送の放送波を送信するステーションに関するステーション情報を取得し、前記ステーション情報を記憶し、前記ステーション情報を用いて、所定の位置において受信可能な放送波を送信しているステーションを、選局が可能な選局可能ステーションとして選択し、前記ステーション情報を用いて、前記選局可能ステーションが行っている前記放送の放送波の送信点で用いられる送信周波数を特定し、前記送信周波数に従い、前記選局可能ステーションが行っている前記放送のサービスを選局する選局制御を行うステップを含む受信方法である。【００２４】
以上のような一側面においては、任意のセグメントでの放送の放送波を送信するステーションに関するステーション情報が取得され、前記ステーション情報が記憶され、前記ステーション情報を用いて、所定の位置において受信可能な放送波を送信しているステーションが、選局が可能な選局可能ステーションとして選択され、前記ステーション情報を用いて、前記選局可能ステーションが行っている前記放送の放送波の送信点で用いられる送信周波数が特定され、前記送信周波数に従い、前記選局可能ステーションが行っている前記放送のサービスを選局する選局制御が行われる。【００２５】
受信装置は、独立した装置であってもよいし、１つの装置を構成している内部ブロックであってもよい。【００２６】
また、プログラムは、伝送媒体を介して伝送することにより、又は、記録媒体に記録して提供することができる。
【発明の効果】
【００２７】
本技術の一側面によれば、受信可能なワンセグメント放送を、迅速に提示することができる。
【図面の簡単な説明】
【００２８】
【図１】選局テーブル作成処理を説明するフローチャートである。
【図２】選局テーブルの例を示す図である。
【図３】通常ワンセグ端末のチャンネルスキャンを説明する図である。
【図４】本技術を適用した送受信システムの一実施の形態の構成例を示す図である。
【図５】地上ディジタル放送の帯域の割り当てについて説明する図である。
【図６】任意ワンセグ放送に用いるセグメントの割り当ての例を示す図である。
【図７】エリア限定放送の選局情報の取得方法について説明する図である。
【図８】エリア限定放送用の物理チャンネルの中央セグメントで送信されるNITについて説明する図である。
【図９】中央セグメントと中央外セグメントのNITとSDTの構成を示す図である。
【図１０】受信端末３３と、通常ワンセグ端末１００それぞれのチャンネルスキャンを示す図である。
【図１１】選局テーブルの例を示す図である。
【図１２】通常ワンセグ放送の放送エリアと、通常ワンセグ放送のみを受信する通常ワンセグ端末１００を所持するユーザの移動の軌跡である動線とを示す図である。
【図１３】エリア限定放送の放送エリアと、エリア限定放送を受信することができる受信端末３３を所持するユーザの移動の軌跡である動線とを示す図である。
【図１４】ステーション情報の例を示す図である。
【図１５】信号形式の指定方法を示す図である。
【図１６】信号形式におけるビットの割り当ての例を示す図である。
【図１７】エリアパターンのコーディングの例を示す図である。
【図１８】SFN運用とMFN運用の具体例を示す図である。
【図１９】送信用の周波数の具体例を示す図である。
【図２０】周波数タグにより指定される周波数の具体例を示す図である。
【図２１】エリア放送記述子及び地上分配システム記述子を含むNITのシンタックスの例を示す図である。
【図２２】NITのシンタックスの例を示す図である。
【図２３】エリア放送記述子のシンタックスの例を示す図である。
【図２４】地上分配システム記述子のシンタックスの例を示す図である。
【図２５】ステーション３２の詳細構成例を示すブロック図である。
【図２６】ステーション３２の送信処理を説明するフローチャートである。
【図２７】受信端末３３の詳細構成例を示すブロック図である。
【図２８】受信端末３３でのステーション情報の取得と利用を説明する図である。
【図２９】制御部８０の、ステーション情報を用いた選局制御を行う部分の機能的構成例を示すブロック図である。
【図３０】チャンネルスキャンによってステーション情報を取得して、サービスを受信する処理を説明するフローチャートである。
【図３１】チャンネルスキャンによってステーション情報を取得して、サービスを受信する場合の、表示部７６の表示例を示す図である。
【図３２】ダイレクト方式でステーション情報を取得して、サービスを受信する処理を説明するフローチャートである。
【図３３】ダイレクト方式でステーション情報を取得して、サービスを受信する場合の、表示部７６の表示例を示す図である。
【図３４】その他方式でステーション情報を取得する処理を説明するフローチャートである。
【図３５】個別選択モードの選局処理を説明するフローチャートである。
【図３６】個別選択モードの選局処理が行われる場合の、表示部７６の表示例を示す図である。
【図３７】順次選択モードの選局処理を説明するフローチャートである。
【図３８】順次選択モードの選局処理が行われる場合の、表示部７６の表示例を示す図である。
【図３９】地図表示モードの選局処理を説明するフローチャートである。
【図４０】地図表示モードの選局処理が行われる場合の、表示部７６の表示例を示す図である。
【図４１】GPSモードの選局処理を説明するフローチャートである。
【図４２】GPSモードの選局処理が行われる場合の、表示部７６の表示例を示す図である。
【図４３】選局可能リスト登録処理を説明するフローチャートである。
【図４４】選局可能リスト登録処理を説明するフローチャートである。
【図４５】チェック処理を説明するフローチャートである。
【図４６】報知画面の例を示す図である。
【図４７】チェック処理が行われる場合の、表示部７６の表示例を示す図である。
【図４８】コンピュータのハードウエアの構成例を示すブロック図である。
【発明を実施するための形態】
【００２９】
以下、図面を参照しながら本技術の実施の形態について説明する。
【００３０】
［通常ワンセグ端末のチャンネルスキャン］
【００３１】
まず、通常ワンセグ放送を受信する従来の受信端末である通常ワンセグ端末のチャンネルスキャンについて説明する。
【００３２】
図１は、通常ワンセグ端末のチャンネルスキャンを説明するフローチャートである。
【００３３】
ステップＳ１１において、通常ワンセグ端末は、UHF帯の１３ないし５２チャンネルの物理チャンネルのうちの、１つの物理チャンネルである、例えば、最も周波数の低い物理チャンネルを、処理の対象とする対象物理チャンネルに選択し、処理は、ステップＳ１２に進む。
【００３４】
ステップＳ１２では、通常ワンセグ端末は、対象物理チャンネルの中央セグメントを選局し、ステップＳ１３に進む。
【００３５】
ステップＳ１３では、通常ワンセグ端末は、対象物理チャンネルの中央セグメントのTSを受信することができたかどうかを判定し、受信することができなかったと判定した場合、処理は、ステップＳ１４をスキップして、ステップＳ１５に進む。
【００３６】
また、ステップＳ１３において、対象物理チャンネルの中央セグメントのTSを受信することができたと判定された場合、処理は、ステップＳ１４に進み、通常ワンセグ端末は、中央セグメントで受信したTSから、NIT actualとして記述されている自セグメント（TSを受信したセグメント）のNIT（Network Information Table）と、SDT actualとして記述されている自セグメントのSDT（Service Description Table）を取得（抽出）し、処理は、ステップＳ１５に進む。
【００３７】
ステップＳ１５では、通常ワンセグ端末は、UHF帯の１３ないし５２チャンネルの全ての物理チャンネルを対象物理チャンネルとしたかどうかを判定する。
【００３８】
ステップＳ１５において、対象物理チャンネルとしていない物理チャンネルがあると判定された場合、処理は、ステップＳ１６に進み、通常ワンセグ端末は、例えば、周波数が、現在の対象物理チャンネルの次に高い物理チャンネルを、新たな対象物理チャンネルに選択し、処理は、ステップＳ１２に戻る。
【００３９】
一方、ステップＳ１５において、全ての物理チャンネルを対象物理チャンネルとしたと判定された場合、処理は、ステップＳ１７に進み、通常ワンセグ端末は、ステップＳ１４で取得されたNITとSDTに基づいて選局テーブルを作成し、チャンネルスキャンを終了する。
【００４０】
図２は、NITとSDTに基づいて作成される選局テーブルを示す図である。
【００４１】
NITには、自セグメントに対応する、ネットワークに固有のIDであるネットワークID、TSに固有のIDであるTSID、周波数、（放送）サービスに固有のサービスIDなどが記述されている。また、SDTには、自セグメントに対応する、TSID、サービスID、そのサービスIDに対応するサービス名等が記述されている。
【００４２】
通常ワンセグ端末は、各物理チャンネルの中央セグメントのNITから、サービスIDと選局のための周波数を取得するとともに、そのNITに対応するSDTからサービス名を取得して対応付け、それらのサービスID、サービス名、及び、周波数を、選局情報として、選局テーブルに登録する。
【００４３】
なお、図２では、周波数がF1の物理チャンネルCH-1の中央セグメントは、サービスIDがID1とID2である２つのサービスで利用されるため、周波数がF1の物理チャンネルCH-1の中央セグメントのNITには、２つのサービスID1及びID2が記述されている。
【００４４】
通常ワンセグ端末では、例えば、選局テーブルのサービス名が、論理チャンネルの名前（番組表の、「○○TV」や、「××チャンネル」等）として提示され、ユーザが、サービス名のサービス（論理チャンネル）を選局するように操作すると、選局テーブルにおいて、そのサービス名に対応付けられている周波数の選局が行われる。
【００４５】
図３は、通常ワンセグ端末のチャンネルスキャンを説明する図である。
【００４６】
図１で説明したように、通常ワンセグ端末は、地上ディジタル放送の各物理チャンネルの中央セグメントを、周波数の低い順に選局していき、中央セグメントにおいて、TSを受信することができた場合には、そのTSから、NIT及びSDTを取得する。
【００４７】
そして、通常ワンセグ端末は、以上のようにして、TSから取得したNIT及びSDTから、選局テーブルを作成する。
【００４８】
したがって、通常ワンセグ端末では、任意ワンセグ放送が、中央セグメントで行われている場合には、その任意ワンセグ放送の選局情報を取得することができるが、中央セグメント以外のセグメント（図３において、斜線を付してある部分）で行われている任意ワンセグ放送については、選局情報を取得することができない。
【００４９】
［本技術を適用した送受信システムの一実施の形態の構成例］
【００５０】
図４は、本技術を適用した送受信システムの一実施の形態の構成例を示す図である。
【００５１】
図４において、送受信システム３０は、地上波放送局３１、ステーション３２−１，３２−２，３２−３、及び、受信端末３３により構成される。
【００５２】
地上波放送局３１は、地上ディジタル放送を行う放送局であり、１２セグメントで、固定端末向けの放送を行うとともに、１セグメントで、携帯端末向けの放送（通常ワンセグ放送）を行う。
【００５３】
ステーション３２−１ないし３２−３は、任意ワンセグ放送の放送波を送信する送信装置であり、地上ディジタル放送の空きチャンネルの任意の１以上のセグメントそれぞれで、ワンセグ放送であるエリア限定放送を行う。
【００５４】
すなわち、ステーション３２−１は、放送エリアＡでのみ受信可能なエリア限定放送を行う。
【００５５】
ステーション３２−２は、放送エリアＢでのみ受信可能なエリア限定放送を行い、ステーション３２−３は、放送エリアＣでのみ受信可能なエリア限定放送を行う。
【００５６】
なお、ステーション３２−１ないし３２−３を特に区別する必要がない場合、それらをまとめてステーション３２という。
【００５７】
ここで、エリア限定放送としては、例えば、テーマパークでのみ受信可能な、そのテーマパークに関する放送や、ある区や市でのみ受信可能な、その区や市に展開する店舗に関する放送等がある。
【００５８】
エリア限定放送では、放送エリアが重複しないステーションどうしでは、同一のセグメントで放送を行うことができる。
【００５９】
すなわち、例えば、図４では、放送エリアＡとＢとは、重複していないので、放送エリアＡのステーション３２−１と、放送エリアＢのステーション３２−２とでは、同一のセグメントで、エリア限定放送を行うことができる。
【００６０】
また、図４では、放送エリアＢとＣとは、重複していないので、放送エリアＢのステーション３２−２と、放送エリアＣのステーション３２−３とでは、同一のセグメントで、エリア限定放送を行うことができる。
【００６１】
但し、図４では、放送エリアＡとＣとは、一部が重複しているので、放送エリアＡのステーション３２−１と、放送エリアＣのステーション３２−３とでは、（同時に放送を行う限り、）エリア限定放送に、同一のセグメントを用いることはできない。
【００６２】
受信端末３３は、通常ワンセグ放送、及び、エリア限定放送のいずれをも受信可能な携帯端末である。
【００６３】
例えば、図４に示すように、受信端末３３を所持したユーザが、放送エリアＡにいる場合、受信端末３３は、通常ワンセグ放送と、放送エリアＡのステーション３２−１によるエリア限定放送とを受信することができる。
【００６４】
なお、受信端末３３が、通常ワンセグ放送を受信するための処理は、通常ワンセグ放送を受信する従来の受信端末（通常ワンセグ端末）と同様であるため、以下では、その説明は省略する。
【００６５】
［任意ワンセグ放送に用いるセグメントの説明］
【００６６】
図５は、図４の送受信システム３０における地上ディジタル放送の帯域の割り当てについて説明する図である。
【００６７】
図５に示すように、送受信システム３０において、地上ディジタル放送の全帯域のうち、地上ディジタル放送に使用される物理チャンネルでは、中央の１セグメント分の帯域で通常ワンセグ放送が行われ、残りの１２セグメント分の帯域で固定端末向けの放送が行われる。
【００６８】
空きチャンネルについては、１以上のセグメントのそれぞれを、エリア限定放送に用いることができる。１つの空きチャンネルにおいて、エリア限定放送に用いることができるセグメント（論理チャンネル）の最大数は、１３チャンネルである。
【００６９】
図６は、任意ワンセグ放送に用いるセグメントの割り当ての例を示す図である。
【００７０】
ステーション３２が、任意ワンセグ放送であるエリア限定放送に用いるセグメントとしては、空きチャンネルの任意のセグメントを割り当てることができるが、あるステーションが、他の１以上のステーションを、いわば傘下におく場合等には、あるステーションには、中央セグメントを割り当てることができる。
【００７１】
すなわち、例えば、図６に示すように、ステーション３２−１が、所定の地区を放送エリアＡとする、いわば中心局であり、ステーション３２−２及び３２−３が、それぞれ、その地区内の建物やアミューズメントパーク等を放送エリアＢ及びＣとする、いわば、ローカル局であり、放送エリアＡが、放送エリアＢ及びＣを含んでいる場合には、中心局であるステーション３２−１に、所定の空きチャンネルの中央セグメントを含む１以上のセグメントを割り当て、ローカル局であるステーション３２−２及び３２−３には、その空きチャンネルの、ステーション３２−１に割り当てたセグメント以外のセグメントを割り当てることができる。
【００７２】
［選局情報の取得方法]
【００７３】
図７は、エリア限定放送の選局情報の取得方法を説明する図である。
【００７４】
図７に示すように、エリア限定放送の選局情報の取得方法としては、主に、第１、第２、及び、第３の３つの方法がある。
【００７５】
第１の方法は、地上ディジタル放送の放送波をスキャンするチャンネルスキャンにより選局情報を取得する方法である。
【００７６】
第１の方法では、受信端末３３は、地上ディジタル放送の各物理チャンネルの各セグメントを選局し、受信可能なエリア限定放送の選局情報を取得する。
【００７７】
第１の方法によれば、受信端末３３を所持するユーザは、自分の位置で受信可能なエリア限定放送があるかどうかを意識する必要なく、受信可能なエリア限定放送の選局情報を自動的に取得することができる。
【００７８】
但し、第１の方法では、ユーザは、移動するたびに、地上ディジタル放送の各物理チャンネルの各セグメントを選局しなければならず、受信可能なエリア限定放送の選局情報を取得するのに、時間を要する。
【００７９】
第２の方法は、選局情報を受信端末３３に埋め込む（あらかじめ記憶させておく）方法である。
【００８０】
第２の方法では、受信端末３３に、あらかじめ選局情報を記憶させるため、選局情報を取得する時間を要しない。
【００８１】
但し、受信端末３３を所持するユーザが、あらかじめ記憶された選局情報の中から、ある論理チャンネルを選局する操作をしても、その論理チャンネルの放送エリア外では、その論理チャンネル（エリア限定放送）を受信することができないことがある。
【００８２】
第３の方法は、放送波以外の手段、すなわち、例えば、インターネットを介した通信や、非接触IC(Integrated Circuit)カードとの通信等により、選局情報を取得する方法である。
【００８３】
第３の方法によれば、第１の方法に比較して、選局情報を、迅速に取得することができる。
【００８４】
但し、第３の方法でも、第２の方法と同様に、受信端末３３を所持するユーザが、ある論理チャンネルを選局する操作をしても、その論理チャンネルを受信することができないことがある。
【００８５】
以上のように、地上ディジタル放送の各物理チャンネルの各セグメントを選局するチャンネルスキャンを行う第１の方法は、他の第２及び第３の方法に比較して、選局情報を取得するのに、時間を要する。
【００８６】
そこで、受信端末３３において、チャンネルスキャンによって、より迅速に、選局情報を取得する方法について説明する。
【００８７】
[ステーション３２が送信するNIT及びSDTの説明]
【００８８】
図８は、図４のステーション３２に送信させるNITを説明する図である。
【００８９】
いま、例えば、ある物理チャンネルを構成する１３個のセグメントs1ないしs13のそれぞれで、ある放送エリアで受信可能なエリア限定放送が行われることとすると、中央セグメントが割り当てられたステーション３２は、以下のようなNIT-0とNIT-1を、中央セグメントs7で送信する。
【００９０】
NIT-0は、ネットワークID、マルチセグメント情報記述子、及び、中央セグメントs7のTSに関する情報（以下、TS情報という）により構成される。
【００９１】
なお、マルチセグメント情報記述子は、中央セグメントs7を含む物理チャンネルのセグメントで、任意ワンセグ放送が行われていることを示す記述子である。
【００９２】
また、中央セグメントs7のTS情報は、中央セグメントs7のTSのTSID、中央セグメントs7の周波数、中央セグメントs7の放送サービスのサービスID等を含む。
【００９３】
NIT-1は、ネットワークIDと、中央セグメントs7以外のセグメントs1ないしs6，s8ないしs13のTS情報とにより構成される。なお、NIT-0のネットワークIDとNIT-1のネットワークIDは異なっている。図８の例では、NIT-0のネットワークIDは0であり、NIT-1のネットワークIDは1である。
【００９４】
図９は、各セグメントで送信されるNIT及びSDTを説明する図である。
【００９５】
NIT-0は、図９に示すように、中央セグメントs7において、自セグメントのNITを記述するNIT actualとして送信される。
【００９６】
NIT-1は、中央セグメントs7において、その中央セグメントs7の物理チャンネルの、自セグメントである中央セグメントs7以外のセグメント(以下、中央外セグメントという)のNITを記述するNIT otherとして送信される。
【００９７】
また、中央セグメントs7では、自セグメントのSDTを記述するSDT actualとして、中央セグメントs7のSDTが送信される。さらに、中央セグメントs7では、中央外セグメントのSDTを記述するSDT otherとして、中央外セグメントs1ないしs6，s8ないしs13のSDTが送信される。
【００９８】
中央外セグメントs1ないしs6，s8ないしs13では、NIT actualとしてNIT-1がそれぞれ送信され、NIT otherとしては何も送信されない。また、中央外セグメントs1ないしs6，s8ないしs13では、SDT actualとして、自セグメントs1ないしs6，s8ないしs13のSDTがそれぞれ送信され、SDT otherとしては何も送信されない。
【００９９】
以上のように、NIT及びSDTが送信されてくる場合、受信端末３３は、地上ディジタル放送の各物理チャンネルの中央セグメントを、周波数の低い方から順に選局する。
【０１００】
そして、受信端末３３は、中央セグメントにおいて、TSを受信することができた場合には、そのTSのNIT actual，SDT actualから、中央セグメントで放送されるエリア限定放送のNIT及びSDTを取得する。
【０１０１】
受信端末３３は、中央セグメントのTSのNIT actualから取得したNITにおけるマルチセグメント情報記述子の有無によって、任意ワンセグ放送であるエリア限定放送が行われているか、通常ワンセグ放送が行われているかを認識する。
【０１０２】
エリア限定放送が行われていることが認識された場合、受信端末３３は、中央セグメントにおいて受信したTSのNIT other，SDT otherから、中央外セグメントで放送されるエリア限定放送のNIT，SDTを取得する。
【０１０３】
受信端末３３は、以上のようにして取得したNIT,SDTから、エリア限定放送の選局情報を含む選局テーブルを作成する。
【０１０４】
図８及び図９で説明したように、中央セグメントのTSに、NIT actual，SDT actualだけでなく、NIT other，SDT otherを配置するので、受信端末３３は、各物理チャンネルの中央セグメントを順に選局するだけで、その中央セグメントを有する物理チャンネルの全てのエリア限定放送のNITとSDTを取得することができる。
【０１０５】
したがって、受信端末３３では、エリア限定放送の選局情報を、迅速に取得することができる。
【０１０６】
なお、中央セグメントでは、NIT other，SDT otherを、必ずしも送信する必要はない。
【０１０７】
但し、中央セグメントにおいて、NIT other，SDT otherを送信しない場合には、受信端末３３は、中央セグメントのNIT actualのマルチセグメント情報記述子の有無によって、エリア限定放送が行われているかどうかを認識し、エリア限定放送が行われているときには、中央外セグメントを順次選局し、TSを受信することができた中央外セグメントのNIT actual，SDT actualを取得する必要がある。
【０１０８】
ここで、NIT actualには、そのNIT actualが伝送されるネットワークに関する情報が含まれ、NIT otherには、そのNIT otherが伝送されるネットワークとは別のネットワークに関する情報が含まれる。また、SDT actualには、そのSDT actualが伝送されるネットワークのサービスに関する情報が含まれ、SDT otherには、そのSDT otherが伝送されるネットワークとは別のネットワークのサービスに関する情報が含まれる。
【０１０９】
図１０は、図４の受信端末３３と、通常ワンセグ放送を受信する従来の受信端末である通常ワンセグ端末１００それぞれのチャンネルスキャンを示す図である。
【０１１０】
受信端末３３、及び、従来の通常ワンセグ端末１００は、例えば、各物理チャンネルの中央セグメントを、周波数の低い方から順に選局し、選局情報を取得して、選局テーブルを作成する。
【０１１１】
通常ワンセグ端末１００は、エリア限定放送（任意ワンセグ放送）に対応していないため、エリア限定放送が割り当てられた物理チャンネルの中央セグメントのTSに配置されるNIT actualのマルチセグメント情報記述子は無視する。したがって、通常ワンセグ端末１００は、誤動作を起こさないが、NIT other，SDT otherを取得することはできない。
【０１１２】
その結果、通常ワンセグ端末１００では、図１０に示すように、各物理チャンネルの中央セグメントの通常ワンセグ放送とエリア限定放送のNIT及びSDTから、選局情報が取得される。
【０１１３】
これに対して、受信端末３３は、エリア限定放送に対応しており、エリア限定放送が割り当てられた物理チャンネルの中央セグメントのTSに配置されるNIT actualのマルチセグメント情報記述子を認識し、NIT actual，SDT actualの他、NIT other，SDT otherを取得する。
【０１１４】
その結果、受信端末３３では、各物理チャンネルに割り当てられている全てのワンセグ放送及びエリア限定放送のNIT及びSDTから、選局情報を取得することができる。
【０１１５】
図１１は、図１０の例において受信端末３３により作成される選局テーブルと、通常ワンセグ端末により作成される選局テーブルの例を示す図である。
【０１１６】
図１１のＡは、受信端末３３により作成される選局テーブルを示している。
【０１１７】
受信端末３３により作成される選局テーブルには、まず、図１０の第１の物理チャンネルの中央セグメントに割り当てられた通常ワンセグ放送のサービス名「ワンセグサービス１」、サービスID「ID１」、及び周波数「F1」が登録される。
【０１１８】
次に、第２の物理チャンネルに割り当てられた５セグメント分のエリア限定放送のサービス名「コミュニティサービス１」ないし「コミュニティサービス５」、サービスID「ID２」ないし「ID６」、及び周波数「F2」ないし「F6」がそれぞれ登録される。
【０１１９】
そして、第３の物理チャンネルの中央セグメントに割り当てられた通常ワンセグ放送のサービス名「ワンセグサービス２」、サービスID「ID７」、及び周波数「Ｆ７」が登録される。
【０１２０】
その後も同様に、第４の物理チャンネルの中央セグメントに割り当てられた通常ワンセグ放送と、第５の物理チャンネルに割り当てられた７セグメント分のエリア限定放送のサービス名、サービスID、及び周波数が登録される。
【０１２１】
図１１のＢは、通常ワンセグ端末１００により作成される選局テーブルを示している。
【０１２２】
通常ワンセグ端末１００により作成される選局テーブルには、まず、受信端末３３により作成される選局テーブルと同様に、第１の物理チャンネルの中央セグメントに割り当てられた通常ワンセグ放送のサービス名「ワンセグサービス１」、サービスID「ID１」、及び周波数「F1」が登録される。
【０１２３】
次に、第２の物理チャンネルの中央セグメントに割り当てられたエリア限定放送のサービス名「コミュニティサービス１」、サービスID「ID２」、及び周波数「F2」が登録される。
【０１２４】
そして、受信端末３３により作成される選局テーブルと同様に、第３の物理チャンネルの中央セグメントに割り当てられた通常ワンセグ放送のサービス名「ワンセグサービス２」、サービスID「ID７」、及び周波数「Ｆ７」が登録される。
【０１２５】
その後も同様に、第４の物理チャンネルの中央セグメントに割り当てられた通常ワンセグ放送と、第５の物理チャンネルの中央セグメントに割り当てられたエリア限定放送のサービス名、サービスID、及び周波数が登録される。
【０１２６】
以上のように、従来の通常ワンセグ端末１００では、中央外セグメントのエリア限定放送の選局情報は取得することができず、選局テーブルに登録されないが、中央セグメントの選局情報は取得することができ、選局テーブルに登録される。
【０１２７】
したがって、図８及び図９で説明したように、NIT及びSDTを送信しても、従来の通常ワンセグ端末１００による通常ワンセグ放送の受信を妨害しない。
【０１２８】
［放送エリアとユーザの動線］
【０１２９】
図１２は、地上ディジタル放送（通常ワンセグ放送）の放送エリアと、通常ワンセグ放送のみを受信する従来の通常ワンセグ端末１００を所持するユーザの移動の軌跡である動線とを示す図である。
【０１３０】
通常ワンセグ放送の放送エリアは、広いため、日常生活において、従来の通常ワンセグ端末１００を所持するユーザは、特定の地上波放送局H1の放送エリア内を生活圏として移動することが多く、その放送エリアから、他の地上波放送局H2の放送エリアに移動することは、ほとんどない。
【０１３１】
したがって、図１２に示すように、ほとんどの動線が、地上波放送局H1の放送エリアに存在し、残りの僅かな動線が、地上波放送局H2の放送エリアに存在するユーザが所持する通常ワンセグ端末１００では、地上波放送局H1による通常ワンセグ放送の選局情報を、選局テーブルに登録しておくことにより、ほとんどの場合に受信可能な地上波放送局H1による通常ワンセグ放送（のサービス名）を、ユーザが選局可能な通常ワンセグ放送（のサービス名）として、ユーザに提示することができる。
【０１３２】
なお、通常ワンセグ端末１００では、地上波放送局H1による通常ワンセグ放送の選局情報の他、地上波放送局H2よる通常ワンセグ放送の選局情報も、選局テーブルに登録しておくことにより、地上波放送局H1及びH2それぞれによる通常ワンセグ放送を、ユーザが選局可能な通常ワンセグ放送として、ユーザに提示することができる。
【０１３３】
但し、この場合、通常ワンセグ端末１００を所持するユーザが、地上波放送局H1の放送エリアにいる場合には、地上波放送局H2の通常ワンセグ放送を選局しても、通常ワンセグ端末１００では、地上波放送局H2の通常ワンセグ放送を受信することはできない。
【０１３４】
同様に、通常ワンセグ端末１００を所持するユーザが、地上波放送局H2の放送エリアにいる場合には、地上波放送局H1の通常ワンセグ放送を選局しても、通常ワンセグ端末１００では、地上波放送局H1の通常ワンセグ放送を受信することはできない。
【０１３５】
通常ワンセグ端末１００において、受信可能な通常ワンセグ放送だけを、ユーザに提示するには、地上波放送局H1による通常ワンセグ放送の選局情報と、地上波放送局H2による通常ワンセグ放送の選局情報とを、選局テーブルを分けて登録しておき、ユーザが、必要に応じて、選局に用いる選局テーブルを切り替える（操作を行う）必要がある。
【０１３６】
上述したように、通常ワンセグ放送については、放送エリアが広いので、日常生活において、ユーザが、生活圏を包含する放送エリアから、他の放送エリアに移動する頻度は、極めて少ない。
【０１３７】
したがって、選局に用いる選局テーブルを切り替えなければならないケースは、稀であり、また、選局情報を分けて登録しなければならない選局テーブルの数は、少なく、選局テーブルの切り替えも、容易である。
【０１３８】
図１３は、エリア限定放送の放送エリアと、エリア限定放送を受信することができる受信端末３３を所持するユーザの移動の軌跡である動線とを示す図である。
【０１３９】
エリア限定放送の放送エリアは、狭いため、多くのステーションが、それほど広くない範囲に密集して設けられ、その結果、受信端末３３を所持するユーザが、多くのステーションの放送エリアを、頻繁に移動することが予想される。
【０１４０】
したがって、受信端末３３において受信可能なエリア限定放送（論理チャンネル）が、ユーザが生活圏内を移動している最中に、頻繁に変化することが予想される。
【０１４１】
受信端末３３において、図１２で説明した通常ワンセグ端末１００と同様に、受信可能なエリア限定放送だけを、ユーザに提示するために、多くのエリア限定放送の選局情報を、多くの選局テーブルを分けて登録しておき、ユーザが、必要に応じて、選局に用いる選局テーブルを切り替えることとすると、ユーザは、多くの選局テーブルを対象として、選局に用いる選局テーブルを切り替える必要があり、その切り替えの頻度も、多くなることが予想される。
【０１４２】
したがって、受信端末３３において、多くのエリア限定放送の選局情報を、多くの選局テーブルを分けて登録しておき、ユーザに、選局に用いる選局テーブルを切り替えてもらうのは、現実的ではない。
【０１４３】
また、例えば、イベント会場等で行われるエリア限定放送については、放送を行っている期間や、放送時間帯が限定されることが予想され、したがって、あるステーションの放送エリア内であっても、エリア限定放送を受信することができるときと、できないときとがあり得る。
【０１４４】
したがって、受信端末３３において、エリア限定放送の選局情報を、有限恒久的な情報として、あらかじめ埋め込んでおいても、放送を行っている期間が経過したエリア限定放送の選局情報は無駄になり、また、将来開始されるエリア限定放送に対応することは、困難である。
【０１４５】
一方、受信端末３３において、図１０で説明したチャンネルスキャンを行って、そのときに受信可能なエリア限定放送の選局情報を取得しても、その後、ユーザが移動した場合や、時間が経過した場合に、過去のチャンネルスキャンで取得した選局情報に対応するエリア限定放送を受信することができるとは限らない。
【０１４６】
したがって、例えば、ユーザがいる位置で、そのときに受信可能なエリア限定放送を、ユーザが選局可能なエリア限定放送として、ユーザに提示するには、常時（短い周期で）、チャンネルスキャンを行って、受信可能なエリア限定放送の選局情報を取得する必要がある。
【０１４７】
しかしながら、図１０で説明したチャンネルスキャンは、地上ディジタル放送の各物理チャンネルの各セグメントを選局するチャンネルスキャンに比較して、選局情報を、迅速に取得することはできるが、それでも、ある程度の時間を要する。
【０１４８】
したがって、チャンネルスキャンを常時行うことは、現実的でない。
【０１４９】
そこで、受信可能なエリア限定放送を、ユーザに迅速に提示するために、任意のセグメントでのワンセグメント放送の放送波を送信するステーションに関するステーション情報を、受信端末３３に提供し、受信端末３３では、そのステーション情報を用いて、受信可能なエリア限定放送のステーション３２を、選局が可能な選局可能ステーションとして選択する。
【０１５０】
［ステーション情報の説明］
【０１５１】
図１４は、ステーション情報を説明する図である。
【０１５２】
ステーション情報は、ステーションID、地域コード、信号形式、送信情報フラグ、送信点対応フラグ、追加情報フラグ、送信出力、送信局緯度、送信局経度、送信局高度、エリアパターンビットマップ、受信可能距離、受信可能距離単位、オープンエアフラグ、閉空間フラグ、移動局フラグ、周波数タグ、及び、追加情報等を含む。
【０１５３】
ステーションID（station_id）は、ステーション３２をTS単位（セグメント単位）で識別するユニークなIDである。受信端末３３では、ステーションIDに基づいて、ステーション情報の保持管理が行われる。
【０１５４】
地域コード（area_code）は、ステーションIDで識別されるステーション３２の所在地を識別するIDであり、例えば、当該所在地の市町村コードを採用することができる。
【０１５５】
信号形式（signal_format）は、エリア限定放送の放送波の信号の形式を示す。受信端末３３では、この信号形式に基づいて、セグメント構成や放送ストリームの仕様を同定することになる。このセグメント構成としては、図１５に示すように、例えば、次の1から4の形式が指定される。
【０１５６】
1：ワンセグ送信
2：ヌル付きフルセグ送信
3：フルセグ送信
4：中央以外ワンセグ送信
【０１５７】
ここで、「ワンセグ送信」は、物理チャンネルの１３セグメントのうち、中央セグメントのみを用いて送信を行うセグメント構成である。
【０１５８】
また、「ヌル付きフルセグ送信」は、中央セグメントの他、中央セグメント以外の１２セグメントをも用いて送信を行うセグメント構成である。但し、それらの１２セグメントでは、ヌル（null）値としてのTSが送信される。
【０１５９】
「フルセグ送信」は、中央セグメントの他、中央セグメント以外の１２セグメントをも用いて送信を行うセグメント構成である。但し、「フルセグ送信」では、「ヌル付きフルセグ送信」と異なり、中央セグメント以外の１２セグメントにおいても、放送の信号を含むTSが送信される。
【０１６０】
また、「中央以外ワンセグ送信」は、中央セグメント以外の１２セグメントのうち、任意の１セグメントのみを用いて送信を行うセグメント構成である。
【０１６１】
ステーション３２では、上述した４つのセグメント構成のいずれかによりエリア限定放送が行われる。
【０１６２】
また、現状の受信端末（現状受信端末）は、これらのすべてのセグメント構成に対応しているわけではない。ここで、例えば、現状受信端末の対応している仕様を、「基本仕様」とし、現状受信端末よりも高度な機能を有する高度受信端末の対応している仕様を、「拡張仕様」又は「高度仕様」とすれば、受信端末とセグメント構成との関係は、図１５の「ストリーム仕様バリエーション」に示すようになる。
【０１６３】
なお、「拡張仕様」とは、高度受信端末の対応している仕様のうち、コーデックの改良などの仕様を拡張したものをいう。また、「高度仕様」とは、いわゆるタイムシフト放送と呼ばれるダウンロードされた放送コンテンツを視聴対象とするサービスに対応した仕様をいう。そのため、図１５では、「高度仕様」に対応した受信端末が、「DL（Download）対応高度受信端末」と記述され、「拡張仕様」に対応した受信端末は、「DL（Download）非対応高度受信端末」と記述されている。
【０１６４】
図１５に示すように、セグメント構成が「ワンセグ送信」又は「ヌル付きフルセグ送信」となる場合、そのエリア限定放送は、現状受信端末、DL非対応高度受信端末、及び、DL対応高度受信端末のいずれでも受信可能となる。
【０１６５】
また、セグメント構成が「フルセグ送信」となる場合には、中央セグメント及び中央セグメント以外の１２セグメントの放送はともに、現状受信端末、DL非対応高度受信端末、及び、DL対応高度受信端末のいずれでも受信可能となる。
【０１６６】
それに対して、セグメント構成が「中央以外ワンセグ送信」となる場合には、そのエリア限定放送は、DL非対応高度受信端末、及び、DL対応高度受信端末にて受信可能となる。
【０１６７】
以上のように、現状受信端末は、セグメント構成が、「ワンセグ送信」、「ヌル付きフルセグ送信」、及び、「フルセグ送信」となるエリア限定放送を受信することはできるが、「中央以外ワンセグ送信」となるエリア限定放送を受信することができない。また、DL非対応高度受信端末、及び、DL対応高度受信端末は、すべてのセグメント構成に対応することができる。
【０１６８】
また、図１６に示すように、信号形式を伝送するために８ビット（図中の四角がビットを現している）が割り当てられるが、その８ビットのうち、最初の２ビットには１セグストリームの仕様に関する情報が配置され、続いて、２ビットの１２セグストリームの仕様に関する情報と、４ビットのセグメント配置パターンに関する情報が順に配置される。
【０１６９】
１セグストリームの仕様に関する情報としては、１セグメントを用いた送信を行う際の仕様に対応する値が指定される。したがって、すべてのセグメント構成において、最初の２ビットに、「基本仕様」、「拡張仕様」、又は、「高度仕様」のいずれかの仕様に対応する値が指定されることになる。
【０１７０】
１２セグストリームの仕様に関する情報としては、１２セグメントを用いた送信を行う際の仕様に対応する値が指定される。したがって、セグメント構成が「フルセグ送信」となる場合にのみ、次の２ビットに、「基本仕様」、「拡張仕様」、又は、「高度仕様」のいずれかの仕様に対応する値が指定されることになる。
【０１７１】
セグメント配置パターンに関する情報としては、「ワンセグ送信」、「ヌル付きフルセグ送信」、「フルセグ送信」、又は、「中央以外ワンセグ送信」のいずれかのセグメント構成に対応する値（例えば、1ないし4に対応する値）が指定される。
【０１７２】
受信端末３３は、上述した信号形式に基づいて、セグメント構成や放送ストリームの仕様を同定し、さらに、受信可能なエリア限定放送の放送波の信号であるかを判定することになる。
【０１７３】
なお、図１５の例では、受信端末３３の対応する仕様として、「基本仕様」、「拡張仕様」、及び、「高度仕様」について説明したが、この仕様の分類は一例であって、さらに他の仕様により分類するようにしてもよい。
【０１７４】
また、本技術の実施の形態では、説明の便宜上、セグメント構成として、「ワンセグ送信」が指定された場合について説明する。
【０１７５】
図１４に戻り、送信情報フラグ（emission_info_flag）は、送信情報が存在するか否かを示すフラグである。送信情報が存在する場合には、送信情報フラグが立てられることになる。
【０１７６】
なお、送信情報には、例えば、送信出力、送信局緯度、送信局経度、送信局高度、エリアパターンビットマップ、受信可能距離、受信可能距離単位、オープンエアフラグ、閉空間フラグ、移動局フラグ、及び、周波数タグが含まれる。
【０１７７】
送信点対応フラグ（emission_point_flag）は、送信情報が存在する場合に、送信情報が各送信点に対応しているか否かを示すフラグである。送信情報が送信点に対応している場合には、送信点対応フラグが立てられることになる。
【０１７８】
追加情報フラグ（additional_info_flag）は、追加情報が存在するか否かを示すフラグである。追加情報が存在する場合には、追加情報フラグが立てられることになる。
【０１７９】
送信出力（emission_power）は、ステーションIDで識別されるステーション３２からの放送波の送信出力（パワー（mW））である。
【０１８０】
受信端末３３では、送信出力やステーション３２との位置関係に基づいて、エリア限定放送の放送波（の信号）が受信可能であるかどうかの判定を行うことができる。但し、実際には、送信出力は、電波（放送波）の指向性や様々な電波の伝播条件に依存するため、エリア限定放送を（良好に）受信することができない場合がある（可能性が高い）ので、あくまで補助的に使用されることが想定される。
【０１８１】
送信局緯度（station_latitude）、送信局経度（station_longitude）、及び、送信局高度（station_height）は、ステーションIDで識別されるステーション３２の位置（所在地）を表す位置情報であり、それぞれ、ステーションIDで識別されるステーション３２の所在地の緯度、経度、及び、高度である。
【０１８２】
送信局緯度と送信局経度は、それぞれ北緯と東経を示し、例えば0.00001度単位（約１m精度相当）で表現される。また送信局高度は、地表からの高度又は標高などの高さを示し、例えば１m単位で表現される。
【０１８３】
なお、ステーション３２において送信点（アンテナ）が複数存在する場合には、存在する複数の送信点のすべてについて、図１４の送信出力から周波数タグまでの送信情報が、ループを用いて個別に記述される。あるいは、それらの送信点のうちのいずれか、又は複数の送信点における中点などの代表基準点が、送信点として指定されるようにしてもよい。
【０１８４】
送信局緯度、送信局経度、及び、送信局高度は、例えば、受信端末３３がGPS（Global Positioning System）機能を有する場合、エリア限定放送の放送波（の信号）が受信可能であるかどうかの判定の他、ステーション３２の地図上の位置を表示したり、ステーション３２との相対距離による受信可能性の報知機能などに利用されることが想定される。
【０１８５】
エリアパターンビットマップ（area_pattern_bitmap）は、ステーション３２を中心として各方位に送信される電波（放送波）の指向性を示す情報である。例えば、ステーション３２における送信点（アンテナ）を中心に、全方位を１６区間に分割して、各方位に送信される電波を測定し、その指向性を示す値を２ビットで表現することで、エリアパターンビットマップが作成される。
【０１８６】
図１７は、エリアパターンのコーディングの例を示す図である。なお、図１７の例では、説明の便宜上、３次元のうち、z次元が省略された、x，yの２次元における各方位の指向性を示す値dが示されている。
【０１８７】
図１７に示すように、全方位にて測定された電波（放送波）の指向性を示す値dが、北（N）、北北東（NNE）、北東（NE）、東北東（ENE）、東（E）、東南東（ESE）、南東（SE）、南南東（SSE）、南（S）、南南西（SSW）、南西（SW）、西南西（WSW）、西（W）、西北西（WNW）、北西（NW）、及び、北北西（NNW）の１６方位について、閾値Th1，Th2，Th3とそれぞれ比較され、各方位での指向性を示す値が２ビットで表される。
【０１８８】
例えば、東南東（ESE）、南東（SE）、南南東（SSE）、南（S）、南南西（SSW）、南西（SW）、及び、西南西（WSW）における指向性を示す値dは、d≦Th1となるので、2ビットの"00"で表される。また、北（N）、東（E）、西（W）、及び、北北西（NNW）における指向性を示す値dは、Th1＜d≦Th2となるので、２ビットの"01"で表される。
【０１８９】
また、例えば、北北東（NNE）、東北東（ENE）、西北西（WNW）、及び、北西（NW）における指向性を示す値dは、Th2＜d≦Th3となるので、２ビットの"10"で表される。さらに、北東（NE）における指向性を示す値dは、Th3＜dとなるので、２ビットの"11"で表される。
【０１９０】
これを、MSB（Most Significant Bit）に従い、各方位のビットを、北（N）から時計回りに順に並べれば、図１７の下段に示すように、"0111000000000110"のように16ビットのパターンで表すことができる。また、各方位のビットを順に、北（N）から時計回りに並べれば、"01101110010000000000000001101001"のように32ビットのパターンで表すこともできる。
【０１９１】
なお、この例では、エリアパターンビットマップとして、16ビットと、32ビットのパターンを示したが、例えば48ビットのパターンなど、他のパターンを採用することもできる。パターンのビット数を増やすことで、例えば、方位の分割数や、各方位の指向性に対応するビットの割り当てを増やすことができる。
【０１９２】
エリアパターンビットマップは、例えば、エリア限定放送の放送波を送信しているステーション３２の中から、選局可能ステーションを選択する際に利用されることが想定される。
【０１９３】
図１４に戻り、受信可能距離（max_distance）は、あらかじめ想定されるステーション３２からのエリア限定放送の放送波が受信可能な範囲を示すものである。受信可能距離は、受信可能距離単位により指定される単位（例えば10m単位）に応じて、ステーション３２における送信点（アンテナ）からの距離により表される。但し、受信可能距離として、"0"が指定された場合には、受信可能距離が指定されていないことを意味する。
【０１９４】
受信可能距離は、例えば、エリア限定放送の放送波を送信しているステーション３２の中から、選局可能ステーションを選択する際に利用されることが想定される。
【０１９５】
なお、送信点が複数存在する場合、受信可能距離は、送信点ごとにループを用いて個別に記述されるが、それらの送信点のうちのいずれか、又は複数の送信点における中点などの代表基準点からの距離が、受信可能距離として指定されるようにしてもよい。
【０１９６】
受信可能距離単位（max_distance_unit）は、受信可能距離の単位を示すものである。例えば、受信可能距離単位として、"0"が指定された場合、受信可能距離は１m単位となり、"1"が指定された場合、受信可能距離は10m単位となる。
【０１９７】
オープンエアフラグ（open_air_flag）は、屋外が、エリア限定放送のサービスの対象となるか否かを示すフラグである。例えば、公園等の特定の屋外施設のエリアを対象としたエリア限定放送の場合には、オープンエアフラグが立てられることになる。
【０１９８】
閉空間フラグ（closed_space_flag）は、屋内が、エリア限定放送のサービスの対象となるか否かを示すフラグである。例えば、店舗等の特定の屋内施設のエリアを対象としたエリア限定放送の場合には、閉空間フラグが立てられることになる。
【０１９９】
移動局フラグ（station_mobility_flag）は、エリア限定放送が、固定された位置のステーション３２から放送されているか否かを示すフラグである。例えば電車やバス等の車内のエリアを対象としたエリア限定放送の場合には、移動局フラグが立てられることになる。
【０２００】
周波数タグ（frequency tag）は、TSを送信する送信設備が使用する送信用の周波数（送信周波数）を指定するためのタグ値である。
【０２０１】
具体的には、NITに含まれる地上分配システム記述子には、送信用の周波数が記述されているので、それを、周波数タグの示すタグ値により指定する。すなわち、地上分配システム記述子には、SFN運用の場合、１つだけ周波数が記述されるが、MFN運用の場合には、周波数が複数列記されるので、その場合には、周波数タグによっていずれかの周波数が指定されることになる。
【０２０２】
ここで、SFN（Single Frequency Network）は、中継局の電波の周波数を、親局の電波の周波数と同一にした単一周波数ネットワークである。SFN運用では、同一の周波数が用いられるので、電波の有効利用が可能となる。
【０２０３】
また、MFN（Multi Frequency Network）は、親局や複数の中継局で異なる周波数が割り当てられた多周波数ネットワークである。MFN運用では、異なる周波数が用いられることから混信の恐れがなく、SFN運用に比べて技術的に導入が容易であるというメリットがある。
【０２０４】
ここで、図１８及び図１９を参照して、SFN運用やMFN運用などの運用例について説明する。図１８には、４つの運用例が図示されている。
【０２０５】
図１８に示すように、運用例１及び運用例２は、中継局を設けない場合の運用を示している。また、運用例３は、中継局が設けられたSFN運用を示し、運用例４は、中継局が設けられたMFN運用を示している。
【０２０６】
運用例１では、受信端末３３−１によって、ステーション３２−１によるエリア限定放送が直接受信される。
【０２０７】
具体的には、ステーション３２−１は、外部のサーバ、カメラ等から、エリア限定放送のビデオデータと、オーディオデータを取得し、符号化して多重化することで、TSを生成する。生成されたTSは、放送局又は送信局のアンテナ（送信点）から送信される。この運用例では、中継局が設けられていないので、受信端末３３−１を所持したユーザが、ステーション３２−１の放送エリアにいる場合、受信端末３３−１は、ステーション３２−１によるエリア限定放送を受信することになる。
【０２０８】
運用例２では、受信端末３３−２によって、ステーション３２−２によるエリア限定放送が直接受信される。
【０２０９】
具体的には、ステーション３２−２は、ステーション３２−１と同様にTSを生成するが、生成されたTSは、異なる場所に設けられた２つのアンテナ（送信点）からそれぞれ送信される。この運用例でも、中継局が設けられていないので、受信端末３３−２は、ステーション３２−２の放送エリアにある場合、そのエリア限定放送を受信することになる。
【０２１０】
運用例３は、SFN運用となるので、ステーション３２−３によるエリア限定放送は、中継装置３４−１により中継され、受信端末３３−３により受信される。
【０２１１】
具体的には、ステーション３２−３は、ステーション３２−１と同様にTSを生成し、アンテナを介して送信する。この運用例では、中継局が設けられているので、受信端末３３−３は、中継装置３４−１の放送エリアにある場合、そのエリア限定放送を受信することになる。但し、中継装置３４−１は、SFN運用で動作しているので、その送信用の周波数は、ステーション３２−３の送信用の周波数と同一の周波数となる。
【０２１２】
運用例４は、MFN運用となるので、ステーション３２−４によるエリア限定放送は、中継装置３４−２により中継され、受信端末３３−４により受信される。
【０２１３】
具体的には、ステーション３２−４は、ステーション３２−１と同様にTSを生成し、アンテナを介して送信する。この運用例では、中継局が設けられているので、受信端末３３−４は、中継装置３４−２の放送エリアにある場合、そのエリア限定放送を受信することになる。但し、中継装置３４−２は、MFN運用で動作しているので、その送信用の周波数は、ステーション３２−４の送信用の周波数と異なる周波数となる。
【０２１４】
また、SFN運用とMFN運用の場合における、各送信点で用いられる送信用の周波数の関係を具体的に例示すると、図１９に示すようになる。すなわち、図１９には、中継局として中継装置３４−３乃至３４−５が設けられている場合に、ステーション３２−５が、ステーション３２−１と同様にTSを生成して、異なる場所に設けられた２つのアンテナ（送信点）から同一の周波数F1で、同一のTSを送信したときの各中継装置における送信用の周波数が示されている。
【０２１５】
すなわち、中継装置３４−３は、SFN運用で動作しているので、その送信点の送信用の周波数は、ステーション３２−５と同一の周波数F1となる。
【０２１６】
また、中継装置３４−４は、MFN運用で動作しているので、その送信点の送信用の周波数は、ステーション３２−５と異なる周波数F2となる。さらに、中継装置３４−５は、MFN運用で動作しているので、その送信点の送信用の周波数は、ステーション３２−５と異なる周波数F3となる。
【０２１７】
このように、SFN運用の場合、ステーション３２と中継装置３４では同一の周波数が用いられるが、MFN運用の場合には、ステーション３２と中継装置３４では異なる周波数が用いられるので、それらの送信点の周波数の構成が複雑化する場合がある。そこで、ステーション情報において周波数タグを定義することで、そのタグ値によって、地上分配システム記述子に記述された送信点ごとの送信用の周波数が指定されるようにして、送信点の周波数の構成が複雑化してもそれに対応できるようにする。
【０２１８】
具体的には、図２０に示すように、NITにはエリア放送記述子と地上分配システム記述子が配置されており、さらに、エリア放送記述子にはステーション情報が配置され、地上分配システム記述子には周波数情報が配置される。これにより、地上分配システム記述子の周波数情報により指定される周波数の中から、エリア放送記述子に配置されたステーション情報の周波数タグ（ftag）により指定されるタグ値に対応する周波数が特定されることになる。
【０２１９】
すなわち、MFN運用の場合、地上分配システム記述子には、周波数情報として、例えば、周波数F1，F2，F3などが複数列記される。また、エリア放送記述子には、ステーション情報（送信情報）として、送信点ごとに周波数タグ（ftag）が記述される。図２０の例では、送信点１にはftag=1、送信点２にはftag=1、送信点３にはftag=1、送信点４にはftag=2、送信点５にはftag=3がそれぞれ指定されている。
【０２２０】
そして、周波数タグとしてftag=1が指定されている場合、周波数情報の先頭（リストの上から１番目）に記述された周波数F1が特定されるので、受信端末３３では、その周波数F1に従い、選局制御などが行われる。
【０２２１】
同様に、周波数タグとしてftag=2が指定されている場合には、周波数情報のリストの上から２番目に記述された周波数F2が特定される。また、周波数タグとしてftag=3が指定されている場合には、周波数情報のリストの上から３番目に記述された周波数F3が特定されることになる。
【０２２２】
以上のように、ステーション情報に周波数タグを含めることで、周波数タグのタグ値により指定される周波数が送信周波数として特定されることになる。
【０２２３】
図１４に戻り、追加情報（extended_info()）は将来の拡張情報である。この追加情報が存在する場合には、追加情報フラグが立てられることになる。
【０２２４】
なお、図１４に示したステーション情報は、一例であって、例えば、ステーション３２の所在地又は放送エリアの地域の名称である地域名称や、ステーション３２の名称であるステーション名、ステーション３２が行うエリア限定放送の選局のための中心周波数など、ステーション３２に関する他の情報が含まれるようにしてもよい。
【０２２５】
また、上述したステーション情報に含まれる情報のうち、所定の位置において受信可能な放送波を送信しているステーション３２が行っているエリア限定放送のサービスを選局するために用いられる、送信出力、送信局緯度、送信局経度、送信局高度、エリアパターンビットマップ、及び、受信可能距離を、特に、サービスエリア情報とも称する。
【０２２６】
図２１は、エリア放送記述子及び地上分配システム記述子を含むNITのシンタックス（データ構造）の例を示す図である。
【０２２７】
図２１に示すように、ビデオデータやオーディオデータ等が多重化されたTSから抽出されるNITには、ネットワークループと、TSループが順に配置される。
【０２２８】
ネットワークループには、１以上の記述子（descriptor）を配置することができる。ネットワークループの記述子としては、例えば、ネットワーク名記述子、及び、システム管理記述子等が、ネットワークIDごとに配置される。
【０２２９】
ここで、ネットワーク名記述子には、ネットワーク名が記述され、システム管理記述子には、ネットワークが放送ネットワークであるか通信ネットワークであるかを示す情報が記述される。
【０２３０】
また、ネットワークループの後には、TSループが配置される。TSループには、１以上の記述子（descriptor）を配置することができる。TSループの記述子としては、例えば、サービスリスト記述子、地上分配システム記述子、部分受信記述子、TS情報記述子、及び、エリア放送記述子等が、TS（TS-ID）ごとに配置される。
【０２３１】
サービスリスト記述子には、サービスID、及び、放送サービスのタイプ（テレビジョン放送、ラジオ放送など）を示すサービスタイプが記述される。また、地上システム分配記述子には、周波数（中心周波数）等の選局に必要な周波数情報などの地上伝送路の物理的条件が記述される。
【０２３２】
部分受信記述子には、部分受信サービス（ワンセグ放送）のサービスIDが記述され、TS情報記述子には当該TSに対するリモコンボタン番号の割り当てや、TS内のサービスの伝送階層などTSに関する情報が記述される。また、エリア放送記述子には、ステーション３２のステーション情報（図１４）が配置される。
【０２３３】
ステーション３２のステーション情報を、エリア放送記述子に配置することで、受信端末３３においては、TSがエリア限定放送のサービスであることが認識されるとともに、そのステーション情報が記憶される。これにより、例えば、後述するGPS機能などと連動して、受信端末３３がステーションの放送エリアに入ったときに、ステーション３２が利用可能であることを報知することができる。また、他のエリア放送局に関するステーション情報を送ることも考えられる。その場合、例えばエリア放送記述子をNITのネットワークループに配置した場合には他のエリア放送局、TSループに配置した場合には自局を示すとしてもよいし、あるいは、図１４のエリア放送記述子の情報項目の中で自局か他局かを示す情報を入れてもよい。
【０２３４】
また、図２２には、図２１のNITの詳細な例が図示されている。
【０２３５】
図２２に示すように、NITのTSループに配置されるエリア放送記述子には、ステーション情報（図１４）の各項目が配置される。また、TSループに配置される地上分配システム記述子には、周波数情報が配置される。
【０２３６】
図２３は、エリア放送記述子（area_broadcasting_descriptor()）の記述例を示す図である。
【０２３７】
descriptor_tagには、当該記述子に割り当てられたタグ値が記述される。また、descriptor_lengthには、当該記述子の記述子長が記述される。
【０２３８】
24ビットのstation_id、16ビットのarea_codeは、それぞれ、ステーションID、地域コードである。また、８ビットのsignal_formatは、信号形式である。
【０２３９】
また、１ビットのemission_info_flag、１ビットのemission_point_flag、１ビットのadditional_info_flagは、それぞれ、送信情報フラグ、送信点対応フラグ、追加情報フラグである。
【０２４０】
emission_info_flagが１である場合、送信ループには、送信情報が配置される。また、emission_point_flagが１となる場合には、送信情報が送信点に対応しているので、送信ループによって、各送信点ごとの送信情報が配置される。
【０２４１】
送信ループ内の16ビットのemission_powerは、送信出力である。
【０２４２】
また、24ビットのstation_latitude、24ビットのstation_longitude、16ビットのstation_heightは、それぞれ、送信局緯度、送信局経度、送信局高度である。
【０２４３】
また、32ビットのarea_pattern_bitmap、８ビットのmax_distance、１ビットのmax_distance_unitは、それぞれ、エリアパターンビットマップ、受信可能距離、受信可能距離単位である。
【０２４４】
さらに、１ビットのopen_air_flag、１ビットのclosed_space_flag、１ビットのstation_mobility_flagは、それぞれ、オープンエアフラグ、閉空間フラグ、移動局フラグである。
【０２４５】
４ビットのfrequency_tagは、周波数タグである。以上の送信情報が送信ループ内に配置される。
【０２４６】
additional_info()は、追加情報である。additional_info()は、additional_info_flagが１である場合に、エリア放送記述子に配置される。
【０２４７】
なお、エリア放送記述子の記述方法は任意であって、図２３の例に限定されるものではない。
【０２４８】
図２４は、地上分配システム記述子（terrestrial_delivery_system_descriptor）の記述例を示す図である。地上分配システム記述子には、地上伝送路の物理的条件が記述される。
【０２４９】
descriptor_tagには、当該記述子に割り当てられたタグ値が記述される。また、descriptor_lengthには、当該記述子の記述子長が記述される。
【０２５０】
12ビットのarea_code、２ビットのguard_interval、２ビットのtransmission_modeは、それぞれ、サービスエリアのコード、ガードインターバル、モード情報である。
【０２５１】
周波数ループには、周波数情報が配置される。MFN運用の場合は、送信点ごとの送信用の周波数が複数列記される。frequencyには、周波数が記述され、その周波数単位は、例えば1/7MHzとされる。
【０２５２】
なお、地上分配システム記述子の記述方法は任意であって、図２４の例に限定されるものではない。
【０２５３】
[ステーション３２の構成例]
【０２５４】
図２５は、図４のステーション３２の詳細構成例を示すブロック図である。
【０２５５】
図２５において、ステーション３２は、関連情報取得部５１、ビデオデータ取得部５２、ビデオエンコーダ５３、オーディオデータ取得部５４、オーディオエンコーダ５５、マルチプレクサ５６、送信部５７、及びアンテナ５８により構成される。
【０２５６】
関連情報取得部５１は、PMT（Program Map Table）及びPAT（Program Association Table）や、エリア限定放送のNIT（Network Information Table），SDT（Service Description Table）等を含む、サービスを受信するための情報、周波数情報、サービスに対応するパケットを特定する情報等の制御情報であるPSI(Program Specific Information)、エリア限定放送においてブラウザを用いた表示を行うための情報（以下、表示制御情報という）等の関連情報を生成することにより取得し、マルチプレクサ５６に供給する。
【０２５７】
なお、関連情報取得部５１は、NITを生成するに際し、そのNITに含めるステーション情報を取得する。
【０２５８】
すなわち、ステーション３２のステーション情報が、例えば、図示せぬメモリに記憶されている場合には、関連情報取得部５１は、そのメモリからステーション情報を読み出すことにより、ステーション３２のステーション情報を取得する。
【０２５９】
また、NITに、他のステーションのステーション情報を含める場合には、関連情報取得部５１は、例えば、他のステーションから、ネットワークを介して、他のステーションのステーション情報をダウンロードすることにより取得する。
【０２６０】
ビデオデータ取得部５２は、図示せぬ内蔵するHDD（Hard Disk Drive）や、外部のサーバ、カメラ等から、エリア限定放送のビデオデータを取得し、ビデオエンコーダ５３に供給する。
【０２６１】
ビデオエンコーダ５３は、ビデオデータ取得部５２から供給されるビデオデータを、MPEG（Moving Picture Experts Group）等の符号化方式に準拠して符号化し、マルチプレクサ５６に供給する。
【０２６２】
オーディオデータ取得部５４は、図示せぬ内蔵するHDDや、外部のサーバ、マイク(マイクロフォン）等から、エリア限定放送のオーディオデータを取得し、オーディオエンコーダ５５に供給する。
【０２６３】
オーディオエンコーダ５５は、オーディオデータ取得部５４から供給されるオーディオデータを、MPEG等の符号化方式に準拠して符号化し、マルチプレクサ５６に供給する。
【０２６４】
マルチプレクサ５６は、関連情報取得部５１からの関連情報、ビデオエンコーダ５３からのビデオデータ、及びオーディオエンコーダ５５からのオーディオデータを多重化してTSを生成し、送信部５７に供給する。
【０２６５】
送信部５７は、マルチプレクサ５６から供給されるTSを、所定のセグメントでアンテナ５８を介して送信する。
【０２６６】
なお、送信部５７において、マルチプレクサ５６から供給されるTSのうちの、ステーション３２のステーション情報を含むNITが、関連情報として多重化されたTSは、ステーション３２の代表セグメントで送信される。
【０２６７】
［ステーション３２の処理の説明］
【０２６８】
図２６は、図２５のステーション３２の処理（送信処理）を説明するフローチャートである。
【０２６９】
ステップＳ３１において、関連情報取得部５１は、ステーション３２が送信すべきステーション情報、すなわち、ステーション３２のステーション情報や、他のステーションのステーション情報を取得し、そのステーション情報を含むEIT等の、エリア限定放送のPSIや、表示制御情報等の関連情報を生成することで取得して、マルチプレクサ５６に供給する。
【０２７０】
ステップＳ３２において、ビデオデータ取得部５２は、エリア限定放送のビデオデータを取得し、ビデオエンコーダ５３に供給する。
【０２７１】
ステップＳ３３において、ビデオエンコーダ５３は、ビデオデータ取得部５２から供給されるビデオデータを符号化し、マルチプレクサ５６に供給する。
【０２７２】
ステップＳ３４において、オーディオデータ取得部５４は、エリア限定放送のオーディオデータを取得し、オーディオエンコーダ５５に供給する。
【０２７３】
ステップＳ３５において、オーディオエンコーダ５５は、オーディオデータ取得部５４から供給されるオーディオデータを符号化し、マルチプレクサ５６に供給する。
【０２７４】
ステップＳ３６において、マルチプレクサ５６は、関連情報取得部５１からの関連情報、ビデオエンコーダ５３からのビデオデータ、及びオーディオエンコーダ５５からのオーディオデータを多重化してTSを生成する。
【０２７５】
ステップＳ３７において、送信部５７は、マルチプレクサ５６から供給されるTSを、そのTSを送信すべき所定のセグメントでアンテナ５８を介して送信し、処理を終了する。
【０２７６】
[受信端末３３の詳細構成例]
【０２７７】
図２７は、図４の受信端末３３の詳細構成例を示すブロック図である。
【０２７８】
図２７において、受信端末３３は、アンテナ７１、チューナ７２、デマルチプレクサ７３、ビデオデコーダ７４、選択部７５、表示部７６、オーディオデコーダ７７、スピーカ７８、ブラウザ７９、制御部８０、操作部８１、及び、無線通信I/F８２により構成される。
【０２７９】
アンテナ７１は、地上波放送局３１やステーション３２からのUHF帯の放送波を受信し、その放送波の受信によって得られるIF(Intermediate Frequency)信号を、チューナ７２に供給する。
【０２８０】
チューナ７２は、制御部８０の制御に従い、アンテナ７１からのIF信号から、所定の論理チャンネル（セグメント）の通常ワンセグ放送やエリア限定放送（の信号）を選局(復調)し、その結果得られるTSを、デマルチプレクサ７３に供給する。
【０２８１】
デマルチプレクサ７３は、チューナ７２から供給されるTSを、ビデオデータ、オーディオデータ、表示制御情報、PSIの各情報等に分離する。デマルチプレクサ７３は、ビデオデータをビデオデコーダ７４に供給し、オーディオデータをオーディオデコーダ７７に供給する。また、デマルチプレクサ７３は、表示制御情報をブラウザ７９に供給し、PSIの各情報等を制御部８０に供給する。
【０２８２】
ビデオデコーダ７４は、制御部８０の制御に従い、デマルチプレクサ７３から供給されるビデオデータを、ビデオエンコーダ５３（図２５）に対応する方式でデコードし、選択部７５に供給する。
【０２８３】
選択部７５は、制御部８０の制御に従い、ビデオデコーダ７４から供給されるビデオデータ又はブラウザ７９から供給されるビデオデータを選択し、表示部７６に供給する。
【０２８４】
また、選択部７５は、制御部８０の制御に従い、OSD(On Screen Display)等の画像のビデオデータを、表示部７６に供給する。
【０２８５】
表示部７６は、選択部７５から供給されるビデオデータに基づいて、通常ワンセグ放送又はエリア限定放送の画像等を表示する。
【０２８６】
オーディオデコーダ７７は、制御部８０の制御に従い、デマルチプレクサ７３から供給されるオーディオデータを、オーディオエンコーダ５５（図２５）に対応する方式でデコードし、スピーカ７８に供給する。
【０２８７】
スピーカ７８は、オーディオデコーダ７７からのオーディオデータに対応する音声、すなわち、通常ワンセグ放送又はエリア限定放送の音声を出力する。
【０２８８】
なお、スピーカ７８は、その他、制御部８０の制御に従って、所定のサウンド（例えば、ビープ音等）を出力することができる。
【０２８９】
ブラウザ７９は、デマルチプレクサ７３から供給される表示制御情報を解釈して、ビデオデータを生成し、選択部７５に供給する。
【０２９０】
制御部８０は、操作部８１からの操作信号等に応じて、各種の処理を行うとともに、受信端末３３を構成する各ブロックを制御する。
【０２９１】
すなわち、制御部８０は、地上ディジタル放送の各物理チャンネルの中央セグメントの周波数を、チャンネルスキャン用のプリセット周波数として記憶しており、チャンネルスキャン時に、そのプリセット周波数（のセグメントを）を順番に選局するように、チューナ７２を制御する選局制御を行う。
【０２９２】
また、制御部８０は、デマルチプレクサ７３から供給されるPSIに含まれる各物理チャンネルの中央セグメントのNIT actual及びSDT actualや、NIT actual、NIT other、SDT actual、及びSDT otherに基づいて、選局テーブルを生成し、内蔵するメモリ(図示せず)に記憶する。
【０２９３】
さらに、制御部８０は、操作部８１からの操作信号等に応じて、選局テーブルに登録されているサービス名を、選択部７５を介して、表示部７６に供給して表示させる。
【０２９４】
ここで、ユーザは、表示部７６に表示されたサービス名を見て、視聴対象とするサービス（論理チャンネル）のサービス名を選択するように、操作部８１を操作することができる。
【０２９５】
制御部８０は、この操作部８１の操作に従って、選局テーブルから、視聴対象のサービス名のサービスの選局情報としての周波数を認識し、その周波数（のセグメント）を選局するように、チューナ７２を制御する選局制御を行う。
【０２９６】
また、制御部８０は、デマルチプレクサ７３から供給されるPSIの各情報に基づいて、ビデオデコーダ７４、選択部７５、オーディオデコーダ７７、及びブラウザ７９を制御する。具体的には、制御部８０は、例えば、ビデオデコーダ７４から出力されるビデオデータとオーディオデコーダ７７から出力されるオーディオデータの同期をとるように、ビデオデコーダ７４とオーディオデコーダ７７を制御する。
【０２９７】
さらに、制御部８０は、PSIのNITにステーション情報が含まれている場合には、そのステーション情報を取得し、必要に応じて記憶する。
【０２９８】
そして、制御部８０は、ステーション情報を用いて、選局制御を行う。
【０２９９】
すなわち、制御部８０は、ステーション情報を用いて、現在、受信可能なエリア限定放送のステーションを、選局が可能な選局可能ステーションとして選択し、その選局可能ステーションのステーション名や、選局可能ステーションが行っているエリア限定放送のサービスのサービス名を、選択部７５を介して、表示部７６に表示させる。
【０３００】
また、制御部８０は、選局可能ステーションのエリア限定放送（のサービス）の周波数を、ステーション情報、又は、選局テーブルから認識し、その周波数を選局するように、チューナ７２を制御する選局制御を行う。
【０３０１】
操作部８１は、ユーザによって操作され、その操作に対応する操作信号を、制御部８０に供給する。なお、操作部８１には、物理的なボタン等の他、表示部７６にGUI(Graphics User Interface)として表示されるボタンも含まれる。
【０３０２】
無線通信I/F８２は、無線IPアクセスポイントが検出された場合、制御部８０の制御に従い、その無線IPアクセスポイントを経由してインターネットに接続する。無線通信I/F８２は、インターネットに接続された各種のサーバと情報のやりとりをする。
【０３０３】
図２８は、図２７の受信端末３３でのステーション情報の取得と利用を説明する図である。
【０３０４】
上述したように、ステーション３２が、ステーション情報をNITに含めて送信する場合には、受信端末３３は、例えば、チャンネルスキャン時等に受信されるNITから、ステーション情報を取得することができる。
【０３０５】
また、受信端末３３は、チャンネルスキャン以外の方法で、ステーション情報を取得することができる。例えば、ステーション情報は、非接触ICカード（例えば、Felica（登録商標））等の非接触メディアに記憶しておき、その非接触メディアと受信端末３３との間で、ステーション情報をやりとりする近接通信を行うことにより、受信端末３３において取得することができる。
【０３０６】
また、ステーション情報は、インターネット上の専用のサーバにファイルとして記憶しておき、そのサーバと受信端末との間で、ステーション情報をやりとりする無線通信を、無線LAN（Local Area Network）等により行うことで、受信端末３３において取得することができる。さらに、ステーション情報は、インターネット上の専用のサーバから、パーソナルコンピュータにダウンロードし、そのパーソナルコンピュータと受信端末３３との間で、ステーション情報をやり取りする、USB（Universal Serial Bus）等による通信を行うことにより、受信端末３３において取得することができる。
【０３０７】
受信端末３３では、制御部８０が、ステーション情報を取得し、必要に応じて、ステーション情報を登録（記憶）するリストであるステーションリストに、ステーション情報を登録する。
【０３０８】
そして、制御部８０は、ステーション情報を用いて、選局制御を行う。
【０３０９】
［制御部８０の構成例］
【０３１０】
図２９は、図２７の制御部８０の、ステーション情報を用いた選局制御を行う部分の機能的構成例を示すブロック図である。
【０３１１】
図２９において、制御部８０は、ステーション情報取得部１１１，１１２、及び、１１３、登録部１１４、記憶部１１５、更新部１１６、ステーション選択部１１７、選局制御部１１８、周波数情報取得部１１９、並びに、周波数特定部１２０を有する。
【０３１２】
ステーション情報取得部１１１ないし１１３は、ステーション情報を取得する。
【０３１３】
すなわち、ステーション情報取得部１１１は、チューナ７２がチャンネルスキャンを行うこと等によって得られるNITから、ステーション情報を取得し、登録部１１４、選局制御部１１８、及び、周波数特定部１２０に供給する。
【０３１４】
ここで、後述する選局制御部１１８は、例えば、操作部８１がチャンネルスキャンを行うように操作された場合に、プリセット周波数として記憶している、地上ディジタル放送の各物理チャンネルの中央セグメントの周波数を順番に選局するように、チューナ７２を制御する選局制御を行う。
【０３１５】
チューナ７２は、選局制御部１１８の選局制御に従い、プリセット周波数を選局し、選局したプリセット周波数において、エリア限定放送が受信可能である場合、すなわち、選局の結果、エリア限定放送のTSを得ることができた場合、そのTSを、デマルチプレクサ７３に供給する。
【０３１６】
デマルチプレクサ７３は、チューナ７２からのTSからPSIを分離し、制御部８０に供給する。
【０３１７】
制御部８０は、以上のようにして、チャンネルスキャン時に、デマルチプレクサ７３から供給されるPSIに含まれるNIT及びSDTから、必要に応じて、そのときに受信可能なサービス（エリア限定放送）の選局情報を登録した選局テーブルを作成する。
【０３１８】
また、制御部８０では、ステーション情報取得部１１１が、チャンネルスキャン時に得られるNITから、ステーション情報を取得する。
【０３１９】
ステーション情報取得部１１２は、ダイレクト方式で、ステーション情報を取得し、登録部１１４、及び、選局制御部１１８に供給する。
【０３２０】
ここで、例えば、ステーション３２が行うエリア限定放送が、ステーション３２の放送エリア内で行われているイベントに関する放送である場合に、ステーション３２の放送エリアには、そのステーション３２のステーション情報を、バーコード等の形で印刷したポスタや、そのステーション情報を記憶させた無線タグを内蔵させたポスタを掲示することができる。
【０３２１】
この場合、ステーション情報取得部１１２は、バーコードを読み取る読み取り装置や、無線タグと近接通信（非接触通信）を行うリーダライタを内蔵し、ユーザが、ステーション３２のステーション情報を取得するために、受信端末３３を、ポスタに近づけたときに、そのポスタのバーコードや無線タグから、ステーション３２のステーション情報を取得する。
【０３２２】
以上のように、特定のステーション３２の放送エリアにおいて、そのステーション３２のステーション情報のみを取得することができる、ステーション情報の取得の方式が、ダイレクト方式である。
【０３２３】
ステーション情報取得部１１３は、チャンネルスキャン、及び、ダイレクト方式以外の方式（その他方式）で、ステーション情報を取得し、登録部１１４に供給する。
【０３２４】
すなわち、チューナ７２において、任意ワンセグ放送や通常ワンセグ放送を受信している（任意ワンセグ放送や通常ワンセグ放送のTSが得られている）場合に、その任意ワンセグ放送や通常ワンセグ放送のTSのNITに、１以上のステーションそれぞれのステーション情報が含まれているときには、ステーション情報取得部１１３は、そのステーション情報を取得することができる。
【０３２５】
また、例えば、受信端末３３が、Webブラウザの機能を有しており、インターネット上のWebサーバが、１以上のステーションそれぞれのステーション情報を提供している場合には、ステーション情報取得部１１３は、Webサーバにアクセスし、ステーション情報を取得することができる。
【０３２６】
さらに、例えば、１以上のステーションそれぞれのステーション情報を提供しているサーバから、そのステーション情報をダウンロードしたパーソナルコンピュータに対して、受信端末３３が接続された場合に、ステーション情報取得部１１３は、パーソナルコンピュータから、ステーション情報を取得することができる。
【０３２７】
また、例えば、１以上のステーションそれぞれのステーション情報を、バーコードの形で印刷した印刷物(例えば、ポスタや、カタログ、雑誌等)や、１以上のステーションそれぞれのステーション情報を記憶させた無線タグを内蔵させた印刷物が提供されている場合において、ユーザが、受信端末３３を、印刷物に近づけたときに、ステーション情報取得部１１３は、その印刷物のバーコードや無線タグから、ステーション情報を取得することができる。
【０３２８】
登録部１１４は、ステーション情報取得部１１１ないし１１３から供給されるステーション情報を、必要に応じて、記憶部１１５に供給して記憶させる（記憶部１１５のステーションリストに登録する）。
【０３２９】
すなわち、登録部１１４は、ステーション情報取得部１１１ないし１１３から供給されるステーション情報のうちの、ユーザが登録を要求したステーション情報のみを、記憶部１１５に記憶させる。
【０３３０】
ここで、例えば、選局制御部１１８が、ステーション情報取得部１１１から供給されるステーション情報を用いて選局制御を行うことで、チューナ７２が受信したエリア限定放送を視聴したユーザが、その後に、そのエリア限定放送の視聴を希望しないことがある。
【０３３１】
この場合、そのエリア限定放送を行っているステーション情報は、不要である。
【０３３２】
また、記憶部１１５に、そのような不要なステーション情報を含む多数のステーション情報が記憶されると、後述するステーションリスト画面に、多数のステーション（のステーション名）が表示され、その結果、ユーザが所望のステーションを選択しにくくなることがある。
【０３３３】
そこで、登録部１１４は、ユーザが登録を要求するように、操作部８１（図２７）を操作（以下、ブックマーク操作ともいう）した場合に、ステーション情報を、記憶部１１５に記憶させることができる。
【０３３４】
これにより、ステーションリスト画面に、多数のステーションが表示されることにより、ユーザが所望のステーションを選択しにくくなることを防止することができる。
【０３３５】
記憶部１１５は、登録部１１４から供給されるステーション情報を記憶する。すなわち、記憶部１１５は、ステーション情報を登録するステーションリストを記憶しており、登録部１１４から供給されるステーション情報を、ステーションリストに登録する。
【０３３６】
更新部１１６は、記憶部１１５に記憶されたステーション情報の更新を行う。
【０３３７】
例えば、更新部１１６において、エリア限定放送が行われている期間に応じて、記憶部１１５に記憶されたステーション情報の更新を行うことで、ステーションリスト画面に、エリア限定放送を既に行っていないステーションを含む多数のステーションが表示されることにより、ユーザが所望のステーションを選択しにくくなることを防止することができる。
【０３３８】
ステーション選択部１１７は、記憶部１１５に記憶されたステーション情報を用い、所定の位置において受信可能なエリア限定放送のステーションを、選局が可能な選局可能ステーションとして選択し、その選局可能ステーションのステーション情報を、選局制御部１１８に供給する。
【０３３９】
選局制御部１１８は、ステーション情報取得部１１１や１１２、ステーション選択部１１７から供給されるステーション情報を用い、そのステーション情報に対応するステーションのエリア限定放送を、チューナ７２（図２７）に選局させる選局制御を行う。
【０３４０】
また、選局制御部１１８は、ステーション選択部１１７から供給される、選局可能ステーションのステーション情報を用い、その選局可能ステーションのステーション名を表示したステーションリスト画面や、選局可能ステーションが行っているエリア限定放送（サービス）のサービス名を表示したチャンネルリスト画面等を表示部７６（図２７）に表示するように、選択部７５を制御する表示制御を行う。
【０３４１】
周波数情報取得部１１９は、チューナ７２がチャンネルスキャンを行うこと等によって得られるNITから、周波数情報を取得し、周波数特定部１２０に供給する。
【０３４２】
周波数特定部１２０には、ステーション情報取得部１１１からのステーション情報と、周波数情報取得部１１９からの周波数情報が供給される。周波数特定部１２０は、ステーション情報に含まれる、送信用の周波数を特定するための周波数特定情報（周波数タグ）に基づいて、周波数情報により指定される周波数の中から、選局可能ステーションが行っている放送の放送波の送信点で用いられる送信周波数を特定する。周波数特定部１２０は、送信周波数の特定結果を、選局制御部１１８に供給する。
【０３４３】
選局制御部１１８は、周波数特定部１２０により特定された送信周波数に従い、選局可能ステーションが行っている放送のサービスを選局する選局制御等を行う。
【０３４４】
なお、送受信システム３０がSFN運用のみを行う場合、親局と中継局では同一の周波数が用いられるので、周波数情報取得部１１９及び周波数特定部１２０を設けない構成とすることもできる。その場合、制御部８０は、ステーション情報取得部１１１ないし選局制御部１１８から構成されることになる。
【０３４５】
［受信端末３３による、ステーション情報を取得する処理］
【０３４６】
図３０は、図２７の受信端末３３が、チャンネルスキャンによってステーション情報を取得して、サービスを受信する処理を説明するフローチャートである。
【０３４７】
例えば、ユーザが、チャンネルスキャンのメニュー画面であるスキャン操作画面を表示するように、操作部８１（図２７）を操作すると、ステップＳ５１において、選局制御部１１８（図２９）は、選択部７５（図２７）を制御することにより、スキャン操作画面を、表示部７６（図２７）に表示させ、処理は、ステップＳ５２に進む。
【０３４８】
ステップＳ５２では、選局制御部１１８は、スキャン操作画面のスキャンボタンが操作されたかどうかを判定する。
【０３４９】
すなわち、スキャン操作画面には、チャンネルスキャンを行うときに操作されるスキャンボタンが設けられており、ステップＳ５２では、そのスキャンボタンが操作されたかどうかが判定される。
【０３５０】
ステップＳ５２において、スキャンボタンが操作されていないと判定された場合、処理は、ステップＳ５２に戻る。
【０３５１】
また、ステップＳ５２において、スキャンボタンが操作されたと判定された場合、処理は、ステップＳ５３に進み、以下、ステップＳ５３ないしＳ５７において、チャンネルスキャンが行われ、NIT及びSDT、さらには、ステーション情報が取得される。
【０３５２】
すなわち、ステップＳ５３において、選局制御部１１８は、地上ディジタル放送の各物理チャンネルの中央セグメントの周波数（プリセット周波数）のうちの、例えば、最も低い周波数を、注目周波数に選択し、その注目周波数を選局するように、チューナ７２を制御する選局制御を行う。
【０３５３】
その後、処理は、ステップＳ５３からステップＳ５４に進み、選局制御部１１８は、注目周波数において、サービスを受信することができたかどうか、すなわち、選局の結果、チューナ７２において、TSを得ることができたかどうかを判定する。
【０３５４】
ステップＳ５４において、注目周波数でサービスを受信することができなかったと判定された場合、処理は、ステップＳ５５をスキップして、ステップＳ５６に進む。
【０３５５】
また、ステップＳ５４において、注目周波数でサービスを受信することができたと判定された場合、処理は、ステップＳ５５に進み、制御部８０は、NIT及びSDT、さらには、可能であれば、ステーション情報を取得する。
【０３５６】
すなわち、チューナ７２は、選局制御部１１８の選局制御に従い、注目周波数を選局し、その選局の結果、TSを得ることができた場合、そのTSを、デマルチプレクサ７３に供給する。そして、デマルチプレクサ７３は、チューナ７２からのTSからPSIを分離し、制御部８０に供給する。
【０３５７】
制御部８０は、以上のようにして、デマルチプレクサ７３から供給されるPSIに含まれるNIT及びSDTを取得し、必要に応じて、そのときに受信可能なサービス（エリア限定放送、通常ワンセグ放送）の選局情報を登録した選局テーブルを作成する。
【０３５８】
さらに、制御部８０では、ステーション情報取得部１１１が、デマルチプレクサ７３からのPSIから取得されたNITにステーション情報が含まれる場合には、そのNITから、ステーション情報を取得する。
【０３５９】
ここで、NITから取得されたステーション情報に対応するステーションがエリア限定放送を行っている周波数（中心周波数）は、そのステーション情報が含まれていたNITから認識することができるが、ここでは、説明を簡単にするために、中心周波数は、ステーション情報に含まれることとする。
【０３６０】
ステップＳ５５において、ステーション情報取得部１１１は、以上のようにしてNIT及びSDT、並びにステーション情報を取得すると、NIT及びSDT、並びにステーション情報を、選局制御部１１８に供給するとともに、ステーション情報を、登録部１１４に供給して、処理は、ステップＳ５６に進む。
【０３６１】
ステップＳ５６では、選局制御部１１８は、注目周波数が、プリセット周波数のうちの最後の周波数、すなわち、ここでは、最も高い周波数であるかどうかを判定する。
【０３６２】
ステップＳ５６において、注目周波数が、プリセット周波数のうちの最後の周波数でないと判定された場合、処理は、ステップＳ５７に進み、選局制御部１１８は、プリセット周波数のうちの、いま、注目周波数になっている周波数の次に高い周波数を、新たな注目周波数として選択する。
【０３６３】
さらに、ステップＳ５７では、選局制御部１１８は、注目周波数を選局するように、チューナ７２を制御する選局制御を行い、処理は、ステップＳ５４に戻る。
【０３６４】
また、ステップＳ５６において、注目周波数が、プリセット周波数のうちの最後の周波数であると判定された場合、処理は、ステップＳ５８に進む。
【０３６５】
ここで、ステップＳ５３ないしＳ５７の、選局制御部１１８によるチューナ７２の選局制御では、地上ディジタル放送の各物理チャンネルの中央セグメントだけの周波数（プリセット周波数）ではなく、各物理チャンネルの各セグメントの周波数を順番に選局するように、チューナ７２を制御することができる。
【０３６６】
ステップＳ５８では、選局制御部１１８は、ステーション情報取得部１１１からの、チャンネルスキャンで得られたNIT及びSDTから認識されるサービスのすべて（又は一部）のサービス名を表示したチャンネルリスト画面を生成し、選択部７５を介して、表示部７６に表示させる。
【０３６７】
その後、処理は、ステップＳ５８からステップＳ５９に進み、選局制御部１１８は、チャンネルリスト画面に表示されたサービス名（論理チャンネル）のいずれかを選択するように、操作部８１が操作されたかどうかを判定する。
【０３６８】
ステップＳ５９において、チャンネルリスト画面に表示されたサービス名のいずれかを選択するように、操作部８１が操作されていないと判定された場合、処理は、ステップＳ５９に戻る。
【０３６９】
また、ステップＳ５９において、チャンネルリスト画面に表示されたサービス名のいずれかを選択するように、操作部８１が操作されたと判定された場合、処理は、ステップＳ６０に進み、選局制御部１１８は、操作部８１の操作によって選択されたサービス名のサービスである選択サービス（論理チャンネル）（セグメント）を選局する選局制御を行う。
【０３７０】
すなわち、選局制御部１１８は、選択サービスのNIT（又は、可能であれば、既に作成された選局テーブル）から、選択サービスの（ワンセグ放送が行われている）周波数を認識する。但し、MFN運用時に、地上分配システム記述子に配置された周波数情報に送信用の周波数が複数列記されている場合には、周波数特定部１２０が、ステーション情報に含まれる周波数タグに基づいて、周波数情報１１９により取得された周波数情報により指定される周波数の中から、送信周波数を特定することになる。これにより、MFN運用時に、送信点の周波数の構成が複雑化しても容易に対応することが可能となる。
【０３７１】
そして、選局制御部１１８は、選択サービスの周波数を選局するように、チューナ７２（図２７）を制御する。
【０３７２】
チューナ７２は、選局制御部１１８の選局制御に従い、選択サービスを選局し、ワンセグ放送が受信可能である場合、すなわち、選局の結果、ワンセグ放送のTSを得ることができた場合、そのTSを、デマルチプレクサ７３（図２７）に供給する。
【０３７３】
デマルチプレクサ７３は、チューナ７２からのTSから、ワンセグ放送のビデオデータ、オーディオデータ、及び、表示制御情報を分離し、ビデオデコーダ７４、オーディオデコーダ７７、及び、ブラウザ７９に、それぞれ供給する。
【０３７４】
これにより、例えば、表示部７６では、選択サービスの画像が表示されるとともに、スピーカ７８では、選択サービスの音声が出力され、ユーザは、選択サービスを視聴することができる。
【０３７５】
その後、処理は、ステップＳ６０からステップＳ６１に進み、選局制御部１１８は、選択サービスが、ワンセグ放送のうちの、エリア限定放送のサービスであるかどうかを判定する。
【０３７６】
ここで、選択サービスが、ワンセグ放送のうちの、エリア限定放送のサービスであるかどうかの判定は、例えば、選択サービスのNITに、ステーション情報が含まれているかどうかによって行うことができる。
【０３７７】
ステップＳ６１において、選択サービスが、エリア限定放送のサービスでないと判定された場合、すなわち、選択サービスのNITに、ステーション情報が含まれておらず、したがって、選択サービスが、通常ワンセグ放送のサービスである場合、処理は、ステップＳ６２ないし６４をスキップして終了する。
【０３７８】
また、ステップＳ６１において、選択サービスが、エリア限定放送のサービスであると判定された場合、すなわち、選択サービスのNITに、ステーション情報が含まれている場合、処理は、ステップＳ６２に進み、選局制御部１１８は、選択部７５を介して、表示部７６に、選択サービスの画像に重畳して、ステーション情報の登録を要求するときに操作されるブックマークボタンを表示させる。
【０３７９】
その後、処理は、ステップＳ６２からステップＳ６３に進み、登録部１１４は、ユーザが、ブックマークボタンを操作するブックマーク操作を行ったかどうかを判定する。
【０３８０】
ステップＳ６３において、ブックマーク操作が行われたと判定された場合、処理は、ステップＳ６４に進み、登録部１１４は、ステーション情報取得部１１１からのステーション情報のうちの、選択サービスのエリア限定放送を行っているステーションのステーション情報を、記憶部１１５のステーションリストに登録して、処理を終了する。
【０３８１】
また、ステップＳ６３において、ブックマーク操作が行われなかったと判定された場合、処理は、ステップＳ６４をスキップして終了する。
【０３８２】
したがって、ステーション情報取得部１１１において取得された、選択サービスのエリア限定放送を行っているステーションのステーション情報は、ブックマーク操作が行われた場合にのみ、記憶部１１５のステーションリストに登録される。
【０３８３】
図３１は、図２７の受信端末３３が、チャンネルスキャンによってステーション情報を取得して、サービスを受信する場合の、表示部７６の表示例を示す図である。
【０３８４】
図３０で説明したように、ユーザが、スキャン操作画面を表示するように、操作部８１（図２７）を操作すると、受信端末３３では、図３１に示すように、スキャンボタンを有するスキャン操作画面が、表示部７６に表示される。
【０３８５】
ユーザが、表示部７６に表示されたスキャン操作画面のスキャンボタンを操作すると、受信端末３３では、チャンネルスキャンが行われ、NIT及びSDTが取得される。
【０３８６】
そして、受信端末３３では、ステーション情報取得部１１１が、チャンネルスキャン時に得られるNITからステーション情報を取得する。
【０３８７】
さらに、受信端末３３では、選局制御部１１８が、チャンネルスキャンで取得されたNIT及びSDTから、ワンセグ放送のサービスのサービス名を表示したチャンネルリスト画面を生成し、表示部７６に表示する。
【０３８８】
ここで、図３１では、チャンネルリスト画面において、通常ワンセグ放送のサービス（一般チャンネル）のサービス名と、エリア限定放送のサービス（エリア限定放送チャンネル）のサービス名とが分けて表示されている。
【０３８９】
その後、ユーザが、チャンネルリスト画面に表示されたいずれかのサービス名（論理チャンネル）を選択すると、受信端末３３では、そのサービス名のサービスを選択サービスとして、チューナ７２が、選択サービスを選局する。
【０３９０】
そして、受信端末３３では、チューナ７２による選局の結果、TSを受信することができた選択サービスの画像が表示された放送受信画面が、表示部７６に表示される。
【０３９１】
選択サービスがエリア限定放送のサービスである場合、放送受信画面には、さらに、ブックマークボタンが表示される。ブックマークボタンが操作されると、受信端末３３では、登録部１１４が、ステーション情報取得部１１１によって取得されたステーション情報のうちの、選択サービスのエリア限定放送を行っているステーションのステーション情報を、記憶部１１５のステーションリストに登録する。
【０３９２】
図３２は、図２７の受信端末３３が、ダイレクト方式でステーション情報を取得して、サービスを受信する処理を説明するフローチャートである。
【０３９３】
例えば、ユーザが、ダイレクト方式でステーション情報を取得するように、操作部８１を操作し、例えば、所定のステーションのステーション情報を、バーコードの形で印刷したポスタの、そのバーコードに、受信端末３３を近づけると、ステップＳ１１１において、ステーション情報取得部１１２（図２９）は、そのバーコードを読み取ることにより、ステーション情報を取得し、登録部１１４、及び、選局制御部１１８に供給して、処理は、ステップＳ１１２に進む。
【０３９４】
ステップＳ１１２では、選局制御部１１８は、ステーション情報取得部１１２からのステーション情報を用い、そのステーション情報の中心周波数でエリア限定放送されているサービスを選局する選局制御を行う。
【０３９５】
すなわち、選局制御部１１８は、ステーション情報取得部１１２からのステーション情報の中心周波数を選局するように、チューナ７２（図２７）を制御する。
【０３９６】
チューナ７２は、選局制御部１１８の選局制御に従い、中心周波数を選局し、その中心周波数において、エリア限定放送が受信可能である場合、すなわち、選局の結果、エリア限定放送のTSを得ることができた場合、そのTSを、デマルチプレクサ７３に供給する。
【０３９７】
デマルチプレクサ７３は、チューナ７２からのTSから、エリア限定放送のビデオデータ、オーディオデータ、及び、表示制御情報を分離し、ビデオデコーダ７４、オーディオデコーダ７７、及び、ブラウザ７９に、それぞれ供給する。
【０３９８】
これにより、表示部７６では、ステーション情報取得部１１２で取得されたステーション情報の中心周波数でエリア限定放送がされているサービス（以下、ダイレクト取得サービスともいう）の画像が表示されるとともに、スピーカ７８では、ダイレクト取得サービスの音声が出力され、ユーザは、ダイレクト取得サービスを視聴することができる。
【０３９９】
その後、処理は、ステップＳ１１２からステップＳ１１３に進み、選局制御部１１８は、図３０及び図３１の場合と同様に、選択部７５を介して、表示部７６に、ダイレクト取得サービスの画像に重畳して、ブックマークボタンを表示させ、処理は、ステップＳ１１４に進む。
【０４００】
ステップＳ１１４では、登録部１１４は、ブックマークボタンを操作するブックマーク操作が行われたかどうかを判定する。
【０４０１】
ステップＳ１１４において、ブックマーク操作が行われたと判定された場合、処理は、ステップＳ１１５に進み、登録部１１４は、ステーション情報取得部１１２からのステーション情報、すなわち、ダイレクト取得サービスのエリア限定放送を行っているステーションのステーション情報を、記憶部１１５のステーションリストに登録して、処理を終了する。
【０４０２】
また、ステップＳ１１４において、ブックマーク操作が行われていないと判定された場合、処理は、ステップＳ１１５をスキップして終了する。
【０４０３】
したがって、ステーション情報取得部１１２において取得されたステーション情報は、ブックマーク操作が行われた場合にのみ、記憶部１１５のステーションリストに登録される。
【０４０４】
図３３は、図２７の受信端末３３が、ダイレクト方式でステーション情報を取得して、サービスを受信する場合の、表示部７６の表示例を示す図である。
【０４０５】
ユーザが、ダイレクト方式でステーション情報を取得するように、操作部８１を操作し、例えば、所定のステーションのステーション情報を、バーコードの形で印刷したポスタの、そのバーコードに、受信端末３３を近づけると、受信端末３３では、ステーション情報取得部１１２（図２９）が、そのバーコードを読み取ることにより、ステーション情報を取得し、登録部１１４、及び、選局制御部１１８に供給する。
【０４０６】
選局制御部１１８は、ステーション情報取得部１１２からのステーション情報を用い、そのステーション情報の中心周波数でエリア限定放送されているサービス（ダイレクト取得サービス）を選局する選局制御を行う。チューナ７２は、選局制御部１１８の制御に従い、ダイレクト取得サービスを選局する。
【０４０７】
そして、受信端末３３では、チューナ７２による選局の結果、TSを受信することができたダイレクト取得サービスの画像が表示された放送受信画面が、表示部７６に表示される。
【０４０８】
放送受信画面には、さらに、ブックマークボタンが表示される。ブックマークボタンが操作されると、受信端末３３では、登録部１１４が、ステーション情報取得部１１２によって取得されたステーション情報（ダイレクト取得サービスのエリア限定放送を行っているステーションのステーション情報）を、記憶部１１５のステーションリストに登録する。
【０４０９】
図３４は、図２７の受信端末３３が、その他方式でステーション情報を取得する処理を説明するフローチャートである。
【０４１０】
ステップＳ１２１において、ステーション情報取得部１１３（図２９）は、図２９で説明したように、その他方式でステーション情報を取得し、登録部１１４に供給して、処理は、ステップＳ１２２に進む。
【０４１１】
ステップＳ１２２では、登録部１１４は、ステーション情報取得部１１３からのステーション情報のすべてを、記憶部１１５のステーションリストに登録して、処理を終了する。
【０４１２】
したがって、ステーション情報取得部１１３が取得したステーション情報は、すべて、記憶部１１５のステーションリストに登録される。
【０４１３】
但し、ステーション情報取得部１１３が取得したステーション情報についても、ステーション情報取得部１１１及び１１２で取得されたステーション情報と同様に、ユーザが登録を要求したステーション情報のみを、記憶部１１５のステーションリストに登録することができる。
【０４１４】
［ステーション情報を用いた選局処理］
【０４１５】
図３５は、受信端末３３において、ステーション情報を用いて選局を行う選局処理を説明するフローチャートである。
【０４１６】
ここで、選局処理のモードには、個別選択モード、順次選択モード、地図表示モード、及び、GPSモードがあり、図３５のフローチャートは、個別選択モードの選局処理を示している。
【０４１７】
なお、どのモードの選局処理を行うかは、例えば、ユーザが操作部８１を操作することにより選択することができる。
【０４１８】
ステップＳ１３１において、選局制御部１１８は、地域選択画面を生成し、表示部７６に表示させる。
【０４１９】
すなわち、ステーション選択部１１７は、記憶部１１５のステーションリストに登録されたステーション情報を、順次、注目する注目ステーション情報として選択し、その注目ステーション情報の地域コードで識別される地域名称を、地域選択画面に表示する表示地名として選択する。
【０４２０】
この地域名称は、地域コードで識別されるステーション３２の所在地、又は放送エリアの地域の名称（エリア特定名称）である。なお、地域名称は、ステーション情報に含まれるようにしてもよく、以下の説明では、地域名称がステーション情報に含まれる場合について説明する。
【０４２１】
なお、ステーション選択部１１７は、表示地名として既に選択した地域名称と一致する地域名称は、表示地名として選択しない。
【０４２２】
ステーション選択部１１７は、記憶部１１５のステーションリストに登録されたステーション情報すべてを、注目ステーション情報として、表示地名を選択すると、その表示地名の一覧を、選局制御部１１８に供給する。
【０４２３】
選局制御部１１８は、ステーション選択部１１７からの表示地名の一覧を表示した地域選択画面を生成し、表示部７６に表示させる。
【０４２４】
ステップＳ１３１において、地域選択画面が表示されると、処理は、ステップＳ１３２に進み、ステーション選択部１１７は、ユーザが、操作部８１を操作することにより、地域選択画面に表示されたいずれかの表示地名としての地域名称が選択されたかどうかを判定する。
【０４２５】
ここで、地域選択画面に、多数の表示地名が表示されている場合、ユーザが、所望の表示地名を選択しにくくなることがある。
【０４２６】
そこで、地域選択画面に表示する表示地名は、制限することができる。
【０４２７】
すなわち、ステーション選択部１１７が、例えば、GPS等の現在地を取得する機能を有する場合には、ステーション選択部１１７において、現在地に近い地域の表示地名だけを、選局制御部１１８に供給することにより、地域選択画面に表示する表示地名を、現在地に近い地域の表示地名だけに制限することができる。
【０４２８】
ステップＳ１３２において、地域選択画面に表示されたいずれかの表示地名も選択されていないと判定された場合、処理は、ステップＳ１３２に戻る。
【０４２９】
また、ステップＳ１３２において、地域選択画面に表示されたいずれかの表示地名が選択されたと判定された場合、処理は、ステップＳ１３３に進み、ステーション選択部１１７は、地域選択画面から選択された表示地名を、選択地名として、記憶部１１５のステーションリストに登録されたステーション情報から、地域名称が、選択地名に一致するステーション情報を選択する。
【０４３０】
さらに、ステーション選択部１１７は、記憶部１１５のステーションリストに登録されたステーション情報から選択したステーション情報を、選局可能ステーションのステーション情報を登録する選局可能リストに登録し、選局制御部１１８に供給して、処理は、ステップＳ１３４に進む。
【０４３１】
ステップＳ１３４では、選局制御部１１８は、ステーション選択部１１７からの選局可能リストにステーション情報が登録されたステーション、つまり、選局可能ステーション（によるエリア限定放送）の受信確認を行うかどうかを判定する。
【０４３２】
ここで、選局可能ステーションの受信確認とは、選局可能ステーションによるエリア限定放送（サービス）を実際に受信すること、つまり、選局可能ステーションによるエリア限定放送を選局したときに、そのエリア限定放送のTSを得ることができることを確認することである。
【０４３３】
受信確認を行うかどうかは、例えば、操作部８１を操作することで設定することができる。
【０４３４】
ステップＳ１３４において、受信確認を行わないと判定された場合、処理は、ステップＳ１３５ないしＳ１３９をスキップすることにより、受信確認を行わずに、処理は、ステップＳ１４０に進む。
【０４３５】
また、ステップＳ１３４において、受信確認を行うと判定された場合、処理は、ステップＳ１３５に進み、以下、ステップＳ１３５ないしＳ１３９において、受信確認が行われる。
【０４３６】
すなわち、ステップＳ１３５において、選局制御部１１８は、ステーション選択部１１７からの選局可能リストの１番目のステーション情報を、注目ステーション情報(以下、注目情報ともいう)に選択する。
【０４３７】
さらに、ステップＳ１３５では、選局制御部１１８は、注目ステーション情報を用い、その注目ステーション情報の中心周波数でエリア限定放送されているサービスを選局するように、チューナ７２を制御する選局制御を行う。
【０４３８】
その後、処理は、ステップＳ１３５からステップＳ１３６に進み、選局制御部１１８は、注目ステーション情報の中心周波数でエリア限定放送されているサービスを受信することができたかどうか、すなわち、選局の結果、チューナ７２において、TSを得ることができたかどうかを判定する。
【０４３９】
ステップＳ１３６において、注目ステーション情報の中心周波数でエリア限定放送されているサービスを受信することができなかったと判定された場合、処理は、ステップＳ１３７に進み、選局制御部１１８は、選局可能リストから、注目ステーション情報を削除して、処理は、ステップＳ１３８に進む。
【０４４０】
すなわち、例えば、現在地が、注目ステーション情報に対応するステーションである注目ステーションの放送エリア内であるが、その注目ステーションと現在地との間に、ビル等の障害物が存在する、あるいは、現在地が、注目ステーションから離れすぎている、等の理由により、注目ステーションによるエリア限定放送のサービスのTSを受信することができない場合、選局制御部１１８は、選局可能リストから、注目ステーション情報を削除することで、注目ステーションを、選局可能ステーションから除外する。
【０４４１】
一方、ステップＳ１３６において、注目ステーション情報の中心周波数でエリア限定放送されているサービスを受信することができたと判定された場合、処理は、ステップＳ１３７をスキップして、ステップＳ１３８に進み、選局制御部１１８は、選局可能リストのすべてのステーション情報を、注目ステーション情報としたかどうかを判定する。
【０４４２】
ステップＳ１３８において、選局可能リストのステーション情報の中で、まだ、注目ステーション情報としていないステーション情報があると判定された場合、処理は、ステップＳ１３９に進み、選局制御部１１８は、選局可能リストのステーション情報のうちの、いま、注目ステーション情報になっているステーション情報の次のステーション情報を、新たな注目ステーション情報として選択する。
【０４４３】
さらに、ステップＳ１３９では、選局制御部１１８は、注目ステーション情報を用い、その注目ステーション情報の中心周波数でエリア限定放送されているサービスを選局するように、チューナ７２を制御する選局制御を行い、処理は、ステップＳ１３６に戻る。
【０４４４】
また、ステップＳ１３８において、選局可能リストのすべてのステーション情報を、注目ステーション情報としたと判定された場合、すなわち、選局可能リストのすべてのステーション情報について、受信確認が終了した場合、処理は、ステップＳ１４０に進み、選局制御部１１８は、ステーションリスト画面を生成し、表示部７６に表示させる。
【０４４５】
すなわち、ステップＳ１４０では、選局制御部１１８は、選局可能リストのステーション情報から、選局可能ステーションのステーションIDで識別されるステーション名を認識する。
【０４４６】
そして、選局制御部１１８は、選局可能ステーションのステーション名の一覧を表示したリストであるステーションリスト画面を生成し、表示部７６に表示させ、処理は、ステップＳ１４０からステップＳ１４１に進む。
【０４４７】
ステップＳ１４１では、選局制御部１１８は、ユーザが選局操作を行ったかどうかを判定し、行っていないと判定した場合、処理は、ステップＳ１４１に戻る。
【０４４８】
ここで、選局操作とは、ステーションの選択と、そのステーションがエリア限定放送を行っているサービスの選択とを行う操作である。
【０４４９】
すなわち、ユーザは、ステーションリスト画面に表示されたステーション名の中から、所望のステーション（選局可能ステーション）のステーション名を、操作部８１を操作することにより選択することができる。
【０４５０】
ステップＳ１４１では、ステーションリスト画面に表示されたステーション名からの、選択ステーションのステーション名の選択である選局操作が行われたかどうかが判定される。
【０４５１】
ステップＳ１４１において、選局操作が行われたと判定された場合、すなわち、ステーションリスト画面から１つのステーションが、選択ステーションとして選択されて、選択サービスが選択された場合、処理は、ステップＳ１４２に進み、選局制御部１１８は、選択サービスをチューナ７２に選局させる選局制御を行い、個別選択モードの選局処理は終了する。
【０４５２】
以上のように、受信端末３３では、ステーション情報取得部１１１ないし１１３において、ステーション情報が取得され、記憶部１１５において、ステーション情報が記憶される。
【０４５３】
さらに、ステーション選択部１１７において、記憶部１１５に記憶されたステーション情報に含まれる地域名称を用い、ユーザが選択した表示地名に一致する地域名称を有するステーション、つまり、ユーザが選択した表示地名の位置において受信可能なエリア限定放送を行っているステーションが、選局が可能な選局可能ステーションとして選択され、そのステーション名が選局可能リストに登録される。
【０４５４】
そして、選局制御部１１８において、選局可能リストに登録されたステーション名が表示されたステーションリスト画面が、選局可能ステーションの情報として表示され、ステーションリスト画面から、ユーザが選択した選局可能ステーションがエリア限定放送を行っているサービス（選択サービス）の選局制御が行われる。
【０４５５】
したがって、受信端末３３では、ステーション情報を取得後に、ユーザが選択した表示地名の位置において受信可能なエリア限定放送（サービス）を、ステーションリスト画面の形で、迅速に提示することができる。
【０４５６】
なお、受信確認を行わない場合には、ステーションリスト画面から、ユーザが選択した選局可能ステーションがエリア限定放送を行っているサービスを受信することができない場合がある。
【０４５７】
また、MFN運用時に、地上分配システム記述子に配置された周波数情報に送信用の周波数が複数列記されている場合には、ステーション情報に含まれる周波数タグによって特定される送信周波数を用いた選局制御が行われることになる。これにより、MFN運用時に、送信点の周波数の構成が複雑化しても容易に対応することが可能となる。
【０４５８】
図３６は、図２７の受信端末３３において、個別選択モードの選局処理が行われる場合の、表示部７６の表示例を示す図である。
【０４５９】
個別選択モードでは、図３５で説明したように、ステーション情報の地域名称が表示地名として表示された地域選択画面が、表示部７６に表示される。
【０４６０】
ユーザが、地域選択画面に表示されたいずれかの表示地名を選択すると、記憶部１１５のステーションリストに登録されたステーション情報の地域名称が、地域選択画面から選択された表示地名である選択地名に一致するステーション情報に対応するステーションを、選局可能ステーションとして、その選局可能ステーションのステーション名が表示されたステーションリスト画面が、表示部７６に表示される。
【０４６１】
ここで、図３６では、地域選択画面に、表示地名「新宿区」、「渋谷区」、「港区」、及び、「品川区」が表示されており、その表示地名のうちの、「品川区」が選択されている。
【０４６２】
さらに、図３６では、ステーション情報の地域名称が「品川区」になっているステーションとして、ステーション名が、「品川コミュニティ」、「品川プリンスＳ」、及び、「Wing Station」の３つのステーションが存在しており、ステーションリスト画面には、そのステーション名「品川コミュニティ」、「品川プリンスＳ」、及び、「Wing Station」が表示されている。
【０４６３】
ユーザが、ステーションリスト画面に表示されたいずれかのステーション名を選択すると、チューナ７２において、ステーション名を選択したステーション（選局可能ステーション）である選択ステーションがエリア限定放送を行っている選択サービスの画像が表示された放送受信画面が、表示部７６に表示される。
【０４６４】
図３７は、受信端末３３において、ステーション情報を用いて選局を行う選局処理のうちの、順次選択モードの選局処理を説明するフローチャートである。
【０４６５】
順次選択モードの選局処理では、ステップＳ１６１ないしＳ１６３において、図３５のステップＳ１３１ないしＳ１３３とそれぞれ同様の処理が行われる。
【０４６６】
すなわち、地域選択画面が、表示部７６に表示され、ユーザが、地域選択画面に表示されたいずれかの表示地名としての地域名称を選択すると、地域選択画面から選択された表示地名を、選択地名として、記憶部１１５のステーションリストに登録されたステーション情報から、地域名称と選択地名等が一致するステーション情報が、選局可能ステーションのステーション情報として選択され、選局可能リストに登録される。
【０４６７】
その後、ステップＳ１６４において、選局制御部１１８は、選局可能リストの１番目のステーション情報を、注目ステーション情報に選択する。
【０４６８】
さらに、ステップＳ１６４では、選局制御部１１８は、注目ステーション情報を用い、その注目ステーション情報の中心周波数でエリア限定放送されているサービスを選局するように、チューナ７２を制御する選局制御を行って、処理は、ステップＳ１６５に進む。
【０４６９】
ステップＳ１６５では、選局制御部１１８は、注目ステーション情報の中心周波数でエリア限定放送されているサービスを受信することができたかどうか、すなわち、選局の結果、チューナ７２において、TSを得ることができたかどうかを判定する。
【０４７０】
ステップＳ１６５において、注目ステーション情報の中心周波数でエリア限定放送されているサービスを受信することができなかったと判定された場合、処理は、ステップＳ１６６ないしＳ１６８をスキップして、ステップＳ１６９に進む。
【０４７１】
また、ステップＳ１６５において、注目ステーション情報の中心周波数でエリア限定放送されているサービスを受信することができたと判定された場合、処理は、ステップＳ１６６に進み、選局制御部１１８は、注目ステーション情報の中心周波数でエリア限定放送されているサービスを、表示部７６及びスピーカ７８から出力させる。
【０４７２】
すなわち、選局制御部１１８は、チューナ７２でTSを得ることができたサービスの画像を、表示部７６に表示させるとともに、そのサービスの音声を、スピーカ７８から出力させる。
【０４７３】
その後、処理は、ステップＳ１６６からステップＳ１６７に進み、選局制御部１１８は、注目ステーション情報の中心周波数でエリア限定放送されているサービスの画像とともに、選局可能リストの次のステーション情報に対応するステーションがエリア限定放送を行っているサービスを選局するための「次ch」ボタンを、表示部７６に表示させ、処理は、ステップＳ１６８に進む。
【０４７４】
ステップＳ１６８では、選局制御部１１８は、「次ch」ボタンが操作されたかどうかを判定し、操作されていないと判定した場合、処理は、ステップＳ１６８に戻る。
【０４７５】
また、ステップＳ１６８において、「次ch」ボタンが操作されたと判定された場合、処理は、ステップＳ１６９に進み、選局制御部１１８は、選局可能リストのすべてのステーション情報を、注目ステーション情報としたかどうかを判定する。
【０４７６】
ステップＳ１６９において、選局可能リストのステーション情報の中で、まだ、注目ステーション情報としていないステーション情報があると判定された場合、処理は、ステップＳ１７０に進み、選局制御部１１８は、選局可能リストのステーション情報のうちの、いま、注目ステーション情報になっているステーション情報の次のステーション情報を、新たな注目ステーション情報として選択する。
【０４７７】
さらに、ステップＳ１７０では、選局制御部１１８は、注目ステーション情報を用い、その注目ステーション情報の中心周波数でエリア限定放送されているサービスを選局するように、チューナ７２を制御する選局制御を行い、処理は、ステップＳ１６５に戻る。
【０４７８】
また、ステップＳ１６９において、選局可能リストのすべてのステーション情報を、注目ステーション情報としたと判定された場合、順次選択モードの選局処理は、終了する。
【０４７９】
なお、MFN運用時に、地上分配システム記述子に配置された周波数情報に送信用の周波数が複数列記されている場合には、ステーション情報に含まれる周波数タグによって特定される送信周波数を用いた選局制御が行われることになる。これにより、MFN運用時に、送信点の周波数の構成が複雑化しても容易に対応することが可能となる。
【０４８０】
図３８は、図２７の受信端末３３において、順次選択モードの選局処理が行われる場合の、表示部７６の表示例を示す図である。
【０４８１】
順次選択モードでは、図３７で説明したように、ステーション情報の地域名称が表示地名として表示された地域選択画面が、表示部７６に表示される。
【０４８２】
ユーザが、地域選択画面に表示されたいずれかの表示地名を選択すると、記憶部１１５のステーションリストに登録されたステーション情報の地域名称が、地域選択画面から選択された表示地名である選択地名に一致するステーション情報に対応するステーションを、選局可能ステーションとして、その選局可能ステーションのステーション情報が、選局可能リストに登録される。
【０４８３】
そして、選局可能リストの１番目のステーション情報が、注目ステーション情報に選択され、その注目ステーション情報の中心周波数でエリア限定放送されているサービスが選局される。
【０４８４】
その選局の結果、注目ステーション情報の中心周波数でエリア限定放送されているサービスのTSを得ることができた場合には、そのサービスの画像が表示された放送受信画面が、表示部７６に表示されるとともに、そのサービスの音声が、スピーカ７８から出力される。
【０４８５】
さらに、放送受信画面には、「次ch」ボタンが表示される。
【０４８６】
ユーザが、「次ch」ボタンを操作すると、選局可能リストのステーション情報のうちの、いま、注目ステーション情報になっているステーション情報の次のステーション情報が、新たな注目ステーション情報として選択され、その注目ステーション情報の中心周波数でエリア限定放送されているサービスが選局される。
【０４８７】
その選局の結果、注目ステーション情報の中心周波数でエリア限定放送されているサービスのTSを得ることができた場合には、そのサービスの画像が表示された放送受信画面が、表示部７６に表示されるとともに、そのサービスの音声が、スピーカ７８から出力される。
【０４８８】
また、上述の場合と同様に、放送受信画面には、「次ch」ボタンが表示され、以下同様にして、「次ch」ボタンが操作されるごとに、選局可能リストにステーション情報が登録されている選局可能ステーションがエリア限定放送を行っているサービスが、順次選局されていく。
【０４８９】
図３９は、受信端末３３において、ステーション情報を用いて選局を行う選局処理のうちの、地図表示モードの選局処理を説明するフローチャートである。
【０４９０】
ステップＳ１８１において、選局制御部１１８は、ユーザの操作に応じて、地図を、表示部７６に表示させ、処理は、ステップＳ１８２に進む。
【０４９１】
すなわち、選局制御部１１８は、地図のデータを、内蔵するメモリに記憶しており、例えば、ユーザが、所定の地域の地図を表示するように、操作部８１を操作すると、その操作に応じて、所定の地域の地図を、表示部７６に表示させる。
【０４９２】
ステップＳ１８２では、ステーション選択部１１７は、図３５のステップＳ１３３の場合と同様に、表示部７６に表示されている地図に含まれる地域の地名を、注目する注目地名として、記憶部１１５のステーションリストに登録されたステーション情報から、地域名称が、注目地名に一致するステーション情報を選択する。
【０４９３】
さらに、ステーション選択部１１７は、記憶部１１５のステーションリストに登録されたステーション情報から選択したステーション情報を、選局可能ステーションのステーション情報を登録する選局可能リストに登録し、選局制御部１１８に供給して、処理は、ステップＳ１８３に進む。
【０４９４】
ステップＳ１８３では、選局制御部１１８は、図３５のステップＳ１３４の場合と同様に、受信確認を行うかどうかを判定する。
【０４９５】
ステップＳ１８３において、受信確認を行わないと判定された場合、ステップＳ１８４ないしＳ１８８をスキップすることにより、受信確認を行わずに、処理は、ステップＳ１８９に進む。
【０４９６】
また、ステップＳ１８３において、受信確認を行うと判定された場合、処理は、ステップＳ１８４に進み、以下、ステップＳ１８４ないしＳ１８８において、図３５のステップＳ１３５ないしＳ１３９とそれぞれ同様の処理が行われることにおり、受信確認が行われる。
【０４９７】
そして、ステップＳ１８４ないしＳ１８８において、受信確認が終了すると、ステップＳ１８９において、選局制御部１１８は、選局可能リストにステーション情報が登録されているステーションである選局可能ステーションについて、その選局可能ステーションのステーション情報の送信局経度、送信局緯度、及び、送信局高度によって表される選局可能ステーションの位置に、その選局可能ステーションを表すマークを、表示部７６の地図上に表示させる。
【０４９８】
なお、表示部７６には、地図、及び、選局可能ステーションを表すマークとともに、選局可能ステーションのステーション名も表示することができる。
【０４９９】
その後、処理は、ステップＳ１８９からステップＳ１９０に進み、選局制御部１１８は、ユーザが、ステーションの選択と、そのステーションがエリア限定放送を行っているサービスの選択とを行う選局操作を行ったかどうかを判定し、行っていないと判定した場合、処理は、ステップＳ１９０に戻る。
【０５００】
すなわち、ユーザは、表示部７６の地図上に、マークやステーション名が表示されたステーションの中から、所望のステーション（選局可能ステーション）を、操作部８１を操作することにより選択することができる。
【０５０１】
ステップＳ１９０では、地図上からの、選択ステーションの選択からの、選択ステーションのステーション名の選択である選局操作が行われたかどうかが判定される。
【０５０２】
ステップＳ１９０において、選局操作が行われたと判定された場合、すなわち、地図上の１つのステーションが、選択ステーションとして選択されて、選択サービスが選択された場合、処理は、ステップＳ１９１に進み、選局制御部１１８は、選択サービスをチューナ７２に選局させる選局制御を行い、地図表示モードの選局処理は終了する。
【０５０３】
なお、MFN運用時に、地上分配システム記述子に配置された周波数情報に送信用の周波数が複数列記されている場合には、ステーション情報に含まれる周波数タグによって特定される送信周波数を用いた選局制御が行われることになる。これにより、MFN運用時に、送信点の周波数の構成が複雑化しても容易に対応することが可能となる。
【０５０４】
図４０は、図２７の受信端末３３において、地図表示モードの選局処理が行われる場合の、表示部７６の表示例を示す図である。
【０５０５】
地図表示モードでは、図３９で説明したように、地図が、表示部７６に表示される。
【０５０６】
さらに、地図表示モードでは、表示部７６の地図上の、選局可能ステーションの位置に、その選局可能ステーションを表すマーク（図４０では、三角形のマーク）が表示される。
【０５０７】
ユーザが、地図上の、いずれかの選局可能ステーションを表すマークに、いわゆるフォーカスするような操作を行うと、表示部７６には、そのマークに対応する選局可能ステーションのステーション名（図４０では、「品川コミュニティ」）が、例えば、地図に、スーパーインポーズする形で表示される。
【０５０８】
そして、ユーザが、地図上にマークが表示されたいずれかの選局可能ステーションを選択すると、チューナ７２において、ユーザが選択した選局可能ステーションである選択ステーションがエリア限定放送を行っている選択サービスが受信され、その選択サービスの画像が表示された放送受信画面が、表示部７６に表示される。
【０５０９】
図４１は、受信端末３３において、ステーション情報を用いて選局を行う選局処理のうちの、GPSモードの選局処理を説明するフローチャートである。
【０５１０】
なお、GPSモードの選局処理を行う場合には、ステーション選択部１１７は、例えば、GPS等の現在地を取得する機能を有することとする。
【０５１１】
ステップＳ２０１において、ステーション選択部１１７は、（受信端末３３の）現在地を取得し、選局制御部１１８に供給して、処理は、ステップＳ２０２に進む。
【０５１２】
ステップＳ２０２では、選局制御部１１８は、ステーション選択部１１７からの現在地を含む地図を、表示部７６に表示させ、処理は、ステップＳ２０３に進む。
【０５１３】
すなわち、選局制御部１１８は、地図のデータを、内蔵するメモリに記憶しており、ステーション選択部１１７からの現在地を含む、所定の範囲の地図を、表示部７６に表示させる。
【０５１４】
ステップＳ２０３では、制御部８０は、ユーザが、現在地で受信することができるエリア限定放送のサービスを確認するように、操作部８１を操作する確認操作を行ったかどうかを判定し、確認操作が行われていないと判定した場合、処理は、ステップＳ２０１に戻る。
【０５１５】
また、ステップＳ２０３において、確認操作が行われたと判定された場合、処理は、ステップＳ２０４に進み、ステーション選択部１１７は、現在地で受信可能であると予測されるエリア限定放送を行っているステーションのステーション情報を、記憶部１１５のステーションリストに登録されたステーション情報から選択して、選局可能リストに登録する選局可能リスト登録処理を行う。
【０５１６】
すなわち、選局可能リスト登録処理では、注目ステーションのステーション情報に含まれるサービスエリア情報を用いて算出された受信感度に応じて、エリア限定放送の放送波を送信しているステーションの中から、選局可能ステーションが選択され、その選局可能ステーションのステーション情報が、選局可能リストに登録されることになる。
【０５１７】
また、選局可能リスト登録処理では、注目ステーションのステーション情報に含まれるサービスエリア情報を用いて算出された受信可能距離に応じて、エリア限定放送の放送波を送信しているステーションの中から、選局可能ステーションが選択され、その選局可能ステーションのステーション情報が、選局可能リストに登録されることになる。
【０５１８】
なお、これらの選局可能リスト登録処理の詳細については、後述する。
【０５１９】
その後、処理は、ステップＳ２０４からステップＳ２０５に進み、選局制御部１１８は、図３５のステップＳ１３４と同様に、ステーション選択部１１７からの選局可能リストにステーション情報が登録されたステーション、つまり、選局可能ステーション（によるエリア限定放送）の受信確認を行うかどうかを判定する。
【０５２０】
ステップＳ２０５において、受信確認を行わないと判定された場合、処理は、ステップＳ２０６ないしＳ２１０をスキップすることにより、受信確認を行わずに、ステップＳ２１１に進む。
【０５２１】
また、ステップＳ２０５において、受信確認を行うと判定された場合、処理は、ステップＳ２０６に進み、以下、ステップＳ２０６ないしＳ２１０において、図３５のステップＳ１３５ないしＳ１３９とそれぞれ同様の処理が行われることにより、受信確認が行われる。
【０５２２】
そして、ステップＳ２０６ないしＳ２１０において、受信確認が終了すると、ステップＳ２１１において、選局制御部１１８は、図３９のステップＳ１８９の場合と同様に、選局可能リストにステーション情報が登録されているステーションである選局可能ステーションを表すマークやステーション名を、表示部７６の地図上に表示させる。
【０５２３】
その後、処理は、ステップＳ２１１からステップＳ２１２に進み、以下、ステップＳ２１２及びＳ２１３において、図３９のステップＳ１９０及びＳ１９１とそれぞれ同様の処理が行われ、GPSモードの選局処理は終了する。
【０５２４】
なお、MFN運用時に、地上分配システム記述子に配置された周波数情報に送信用の周波数が複数列記されている場合には、ステーション情報に含まれる周波数タグによって特定される送信周波数を用いた選局制御が行われることになる。これにより、MFN運用時に、送信点の周波数の構成が複雑化しても容易に対応することが可能となる。
【０５２５】
図４２は、図２７の受信端末３３において、GPSモードの選局処理が行われる場合の、表示部７６の表示例を示す図である。
【０５２６】
GPSモードでは、例えば、現在地を中心とした地図が、表示部７６に表示される。
【０５２７】
さらに、GPSモードでは、表示部７６の地図上の、選局可能ステーションの位置に、その選局可能ステーションを表すマーク（図４２では、三角形のマーク）が表示される。
【０５２８】
ユーザが、地図上の、いずれかの選局可能ステーションを表すマークにフォーカスするような操作を行うと、図４０の場合と同様に、表示部７６には、そのマークに対応する選局可能ステーションのステーション名（図４２では、「品川コミュニティ」と「品川プリンスＳ」）が、例えば、地図に、スーパーインポーズする形で表示される。
【０５２９】
そして、ユーザが、地図上にマークが表示されたいずれかの選局可能ステーションを選択すると、チューナ７２において、ユーザが選択した選局可能ステーションである選択ステーションがエリア限定放送を行っている選択サービスが受信され、その選択サービスの画像が表示された放送受信画面が、表示部７６に表示される。
【０５３０】
選局可能ステーションが複数存在する場合、放送受信画面には、「次のch」ボタンも表示される。
【０５３１】
ユーザが、「次のch」ボタンを操作すると、受信端末３３では、選択ステーション以外の他の選局可能ステーションが行っている選択サービスが、新たに、選択サービスとされ、その選択サービスが選局される。
【０５３２】
そして、その選択サービスの画像が表示された放送受信画面が、表示部７６に表示される。また放送受信画面には、必要に応じて、上述の場合と同様に、「次のch」ボタンが表示される。
【０５３３】
なお、GPSモードの選択処理では、地図を表示せずに、単に、選局可能ステーションのステーション名を表示したステーションリスト画面を表示することが可能である。
【０５３４】
図４３は、図４１のステップＳ２０４で行われる選局可能リスト登録処理を説明するフローチャートである。
【０５３５】
図４３の選局可能リスト登録処理では、ステップＳ２３１において、ステーション選択部１１７は、記憶部１１５のステーションリストにステーション情報が登録されたステーションを、順次、注目する注目ステーションに選択する。
【０５３６】
さらに、ステーション選択部１１７は、注目ステーションのステーション情報の送信局経度、送信局緯度、及び、送信局高度を用いて、現在地と、注目ステーションとの間の距離を算出する。
【０５３７】
そして、ステーション選択部１１７は、現在地と、注目ステーションとの間の距離が、所定値以下である場合に、その注目ステーションを、選局可能ステーション（の候補）として、そのステーション情報を、選局可能リストに登録する。但し、所定値としては、注目ステーションのステーション情報の受信可能距離を用いることができる。
【０５３８】
以上のように、ステーション選択部１１７は、現在地と注目ステーションとの距離に基づき、注目ステーションのステーション情報を、選局可能リストに（仮）登録する前処理を行う。
【０５３９】
ステーション選択部１１７が、記憶部１１５のステーションリストにステーション情報が登録されたステーションのすべてを、注目ステーションとして、前処理を終了すると、処理は、ステップＳ２３１からステップＳ２３２に進み、以下、ステーション選択部１１７は、選局可能リストにステーション情報が登録されたステーションを対象として、後述する受信感度係数Crに基づいて、選局可能ステーションを選択する（選局可能リストから、選局可能ステーションにすべきでないステーションのステーション情報を削除する）選択処理を行う。
【０５４０】
ここで、図４３において、上述したステップＳ２３１の前処理は、行わないようにすることができる。
【０５４１】
但し、ステップＳ２３１の前処理を行わない場合には、ステップＳ２３２以降の選択処理は、選局可能リストにステーション情報が登録されたステーションではなく、記憶部１１５のステーションリストにステーション情報が登録されたステーションすべてを対象として行う必要がある。
【０５４２】
したがって、前処理を行わない場合、記憶部１１５のステーションリストにステーション情報が登録されたステーションすべてについて、後述する受信感度係数Crを算出する等の選択処理を行う必要がある。
【０５４３】
これに対して、前処理を行う場合には、選局可能リストにステーション情報が登録されたステーションについてだけ、受信感度係数Crを算出すれば済み、その結果、選択処理の負荷を軽減することができる。
【０５４４】
したがって、前処理は、選択処理の対象とするステーションを、いわば絞り込む処理であるということができる。
【０５４５】
ステップＳ２３２では、ステーション選択部１１７は、選局可能リストの１番目のステーション情報を、注目ステーション情報(注目情報)に選択し、処理は、ステップＳ２３３に進む。
【０５４６】
ステップＳ２３３では、ステーション選択部１１７は、注目ステーション情報の送信出力、送信局経度、送信局緯度、送信局高度、及び、指向性係数を用いて、注目ステーション情報に対応するステーションである注目ステーションの受信感度係数Crを算出し、処理は、ステップＳ２３４に進む。
【０５４７】
ここで、注目ステーションの受信感度係数Crとは、現在地において、注目ステーションからの放送波を受信したときの、その放送波の受信レベルに対応する値で、注目ステーションによるエリア限定放送を、現在地で受信可能かどうかを判定する指標となる値である。また、指向性係数は、注目ステーションに対するエリアパターンビットマップ（図１７）に基づき算出される係数である。
【０５４８】
注目ステーションの受信感度係数Crは、注目ステーションの送信局経度、送信局緯度、及び、送信局高度を、Sx，Sy，及びSzと、現在地の経度、緯度、及び、高度を、Rx，Ry，及びRzと、注目ステーションの送信出力を、Epと、指向性係数を、f(dir)とそれぞれ表すとき、例えば、次の式（１）に従って算出される。
【０５４９】
【数１】
2014042029.tif 000003
【０５５０】
なお、式（１）において、f(dir)のdirは、注目ステーションに対するエリアパターンビットマップ（図１７）における各方位を示しており、当該関数を演算することで、例えば所定の方位に割り当てられたビットに応じた指向性係数が算出される。但し、上記dirは、現在地の緯度、経度と注目ステーションの緯度・経度から最も近い方角を抽出することが想定される。また、式（１）の「*」は乗算を意味し、log（Ep*f(dir)）が演算されることで、指向性を加味した送信出力が算出されることになる。
【０５５１】
ステップＳ２３４では、ステーション選択部１１７は、注目ステーションの受信感度係数Crが、閾値θより大（以上）であるかどうかを判定する。
【０５５２】
ここで、閾値θとしては、受信端末３３において、エリア限定放送の放送波を良好に（例えば、所定のS/N(Signal to Noise Ratio)で）受信することができる受信感度係数の値が採用される。
【０５５３】
また、注目ステーションの受信感度係数Crの逆数が、注目ステーションの放送エリアとしての円の半径に対応する。
【０５５４】
ステップＳ２３４において、注目ステーションの受信感度係数Crが、閾値θより大でないと判定された場合、すなわち、現在地において、注目ステーションによるエリア限定放送を（良好に）受信することができない（可能性が高い）場合、処理は、ステップＳ２３５に進む。そして、ステーション選択部１１７は、選局可能リストから、注目ステーション情報を削除し、これにより、注目ステーションを、選局可能ステーションから除外して、処理は、ステップＳ２３６に進む。
【０５５５】
一方、ステップＳ２３４において、注目ステーションの受信感度係数Crが、閾値θより大であると判定された場合、すなわち、現在地において、注目ステーションによるエリア限定放送を（良好に）受信することができる（可能性が高い）場合、処理は、ステップＳ２３５をスキップして、つまり、選局可能リストから、注目ステーション情報を削除せずに、注目ステーションを、選局可能ステーションとして選択したままにして、処理は、ステップＳ２３６に進む。
【０５５６】
ステップＳ２３６では、ステーション選択部１１７は、選局可能リストのすべてのステーション情報を、注目ステーション情報としたかどうかを判定する。
【０５５７】
ステップＳ２３６において、選局可能リストのステーション情報の中で、まだ、注目ステーション情報としていないステーション情報があると判定された場合、処理は、ステップＳ２３７に進み、ステーション選択部１１７は、選局可能リストのステーション情報のうちの、いま、注目ステーション情報になっているステーション情報の次のステーション情報を、新たな注目ステーション情報として選択する。
【０５５８】
そして、処理は、ステップＳ２３７からステップＳ２３３に戻り、以下、同様の処理が繰り返される。
【０５５９】
また、ステップＳ２３６において、選局可能リストのすべてのステーション情報を、注目ステーション情報としたと判定された場合、図４３の選局可能リスト登録処理を終了し、処理は、リターンする。
【０５６０】
以上、ステーション情報が選局可能リストの対象となるかどうかを、注目ステーションの受信感度に応じて選択する例について説明したが、上述した受信感度に限らず、他の指標を用いるようにしてもよい。図４４は、図４１のステップＳ２０４で行われる選局可能リスト登録処理の他の例を説明するフローチャートである。
【０５６１】
図４４の選局可能リスト登録処理では、ステップＳ２６１において、ステーション選択部１１７は、選局可能リストの１番目のステーション情報を、注目ステーション情報(注目情報)に選択し、処理は、ステップＳ２６２に進む。
【０５６２】
ステップＳ２６２では、ステーション選択部１１７は、注目ステーション情報の送信局経度、送信局緯度、送信局高度を用いて、現在地と、ステーション３２との間の距離Dを算出し、処理は、ステップＳ２６３に進む。
【０５６３】
距離Dは、注目ステーションの送信局経度、送信局緯度、及び、送信局高度を、Sx，Sy，及びSzと、現在地の経度、緯度、及び、高度を、Rx，Ry，及びRzとそれぞれ表すとき、例えば、次の式（２）に従って算出される。
【０５６４】
【数２】
2014042029.tif 000004
【０５６５】
ステップＳ２６３では、ステーション選択部１１７は、注目ステーション情報の受信可能距離、及び、エリアパターンビットマップを用いて、受信可能距離Md'を算出し、処理は、ステップＳ２６４に進む。
【０５６６】
ここで、注目ステーションの受信可能距離Md'とは、注目ステーションからの放送波を受信可能な範囲に対応する値で、注目ステーションによるエリア限定放送を、現在地で受信可能かどうかを判定する指標となる値である。
【０５６７】
注目ステーションの受信可能距離Md'は、注目ステーションの受信可能距離を、Mdと、指向性係数を、f(dir)とそれぞれ表すとき、例えば、次の式（３）に従って算出される。
【０５６８】
【数３】
2014042029.tif 000005
【０５６９】
なお、式（３）において、「*」は乗算を意味し、Md*f(dir)が演算されることで、指向性を加味した受信可能距離が算出される。但し、f(dir)については上述した通りである。
【０５７０】
ステップＳ２６４では、ステーション選択部１１７は、受信可能距離Md'が、距離Dより大（以上）であるかどうかを判定する。
【０５７１】
ステップＳ２６４において、注目ステーションの受信可能距離Md'が、距離Dより大でないと判定された場合、すなわち、現在地において、注目ステーションによるエリア限定放送を（良好に）受信することができない（可能性が高い）場合、処理は、ステップＳ２６５に進む。そして、ステーション選択部１１７は、選局可能リストから、注目ステーション情報を削除し、これにより、注目ステーションを、選局可能ステーションから除外して、処理は、ステップＳ２６６に進む。
【０５７２】
一方、ステップＳ２６４において、注目ステーションの受信可能距離Md'が、距離Dより大であると判定された場合、すなわち、現在地において、注目ステーションによるエリア限定放送を（良好に）受信することができる（可能性が高い）場合、処理は、ステップＳ２６５をスキップして、つまり、選局可能リストから、注目ステーション情報を削除せずに、注目ステーションを、選局可能ステーションとして選択したままにして、処理は、ステップＳ２６６に進む。
【０５７３】
ステップＳ２６６及びＳ２６７において、図４３のステップＳ２３６及びＳ２３７とそれぞれ同様の処理が行われ、選局可能リストのすべてのステーション情報を、注目ステーション情報としたと判定されるまで、上述した処理が繰り返される。また、ステップＳ２６６において、選局可能リストのすべてのステーション情報を、注目ステーション情報としたと判定された場合、図４４の選局可能リスト登録処理を終了し、処理は、リターンする。
【０５７４】
図４５は、図２７の受信端末３３が行うチェック処理を説明するフローチャートである。
【０５７５】
ここで、図４１のGPSモードの選局処理が行われた後、受信端末３３を所持するユーザが移動することにより、現在地が変化し、その結果、現在地が、新規のステーションの放送エリアに含まれることとなることがある。
【０５７６】
チェック処理では、現在地が変化することにより、変化後の現在地が、新規のステーションの放送エリアに含まれることとなったかどうかがチェックされ、変化後の現在地が、新規のステーションの放送エリアに含まれることとなって、受信端末３３において、新規のステーションによるエリア限定放送が受信可能となった場合、その新規のステーションの存在が、ユーザに報知される。
【０５７７】
すなわち、チェック処理では、ステップＳ３０１において、ステーション選択部１１７は、（受信端末３３の）現在地を取得し、選局制御部１１８に供給して、処理は、ステップＳ３０２に進む。
【０５７８】
ステップＳ３０２では、ステーション選択部１１７は、図４１のステップＳ２０４と同様に、現在地で受信可能であると予測されるエリア限定放送を行っているステーションのステーション情報を、記憶部１１５のステーションリストに登録されたステーション情報から選択して、選局可能リストに登録する選局可能リスト登録処理を行う。
【０５７９】
なお、選局可能リスト登録処理の詳細は、上述した、図４３及び図４４で説明した通りである。
【０５８０】
そして、ステーション選択部１１７は、選局可能リスト登録処理によって得られる、選局可能ステーションのステーション情報が登録された選局可能リストを、選局制御部１１８に供給する。
【０５８１】
その後、処理は、ステップＳ３０２からステップＳ３０３に進み、以下、ステップＳ３０３ないしＳ３０７において、図３５のステップＳ１３５ないしＳ１３９とそれぞれ同様の処理が行われることにより、受信確認が行われる。
【０５８２】
そして、ステップＳ３０３ないしＳ３０７において、受信確認が終了すると、ステップＳ３０８において、選局制御部１１８は、今回の受信確認（直前に行われたステップＳ３０３ないしＳ３０７の処理）において、前回の受信確認（今回の受信確認の直前に行われたステップＳ３０３ないしＳ３０７の処理、又は、図４１のGPSモードの選局処理のステップＳ２０６ないしＳ２１０の処理）ではエリア限定放送の受信を確認することができなかった選局可能ステーション（以下、新規の選局可能ステーションともいう）によるエリア限定放送の受信を、新たに確認することができたかどうかを判定する。
【０５８３】
ステップＳ３０８において、今回の受信確認において、新規の選局可能ステーションによるエリア限定放送の受信を、新たに確認することができなかったと判定された場合、処理は、ステップＳ３０９ないしＳ３１１をスキップして、チェック処理を終了する。
【０５８４】
また、ステップＳ３０８において、今回の受信確認において、新規の選局可能ステーションによるエリア限定放送の受信を、新たに確認することができたと判定された場合、すなわち、今回の受信確認において、ステーション選択部１１７から選局制御部１１８に供給された選局可能リストに、前回の受信確認において、ステーション選択部１１７から選局制御部１１８に供給された選局可能リストに登録されていない、新規の選局可能ステーションのステーション情報が登録されている場合、処理は、ステップＳ３０９に進み、選局制御部１１８は、その新規の選局可能ステーションの存在を報知する。
【０５８５】
ここで、選局制御部１１８は、例えば、新規の選局可能ステーションの存在を報知する報知画面を、表示部７６に表示させることや、新規の選局可能ステーションの存在を報知する音声を、スピーカ７８から出力すること等によって、新規の選局可能ステーションの存在を、ユーザに報知する。
【０５８６】
その後、処理は、ステップＳ３０９からステップＳ３１０に進み、選局制御部１１８は、ユーザが、新規の選局可能ステーションの選択と、その新規の選局可能ステーションがエリア限定放送を行っているサービスの選択とを行う選局操作を行ったかどうかを判定し、行っていないと判定した場合、処理は、ステップＳ３１１をスキップして、チェック処理を終了する。
【０５８７】
また、ステップＳ３１０において、選局操作が行われたと判定された場合、すなわち、新規の選局可能ステーションが、選択ステーションとして選択された場合、処理は、ステップＳ３１１に進み、選局制御部１１８は、選択サービスをチューナ７２に選局させる選局制御を行い、チェック処理は終了する。
【０５８８】
なお、チェック処理は、例えば、周期的に繰り返し行われる。
【０５８９】
また、MFN運用時に、地上分配システム記述子に配置された周波数情報に送信用の周波数が複数列記されている場合には、ステーション情報に含まれる周波数タグによって特定される送信周波数を用いた選局制御が行われることになる。これにより、MFN運用時に、送信点の周波数の構成が複雑化しても容易に対応することが可能となる。
【０５９０】
図４６は、報知画面の例を示す図である。
【０５９１】
図４６の報知画面では、現在地を含む地図が表示され、さらに、その地図上の、新規の選局可能ステーションの位置に、その選局可能ステーションを表すマーク（三角形のマーク）が表示されている。
【０５９２】
その他、図４６の報知画面では、地図上に、現在地を表すマーク（矢印形状のマーク）、新規の選局可能ステーションの放送エリアを表す円、及び、新規の選局可能ステーションによるサービスが受信可能である旨のメッセージが表示されている。
【０５９３】
図４７は、図２７の受信端末３３において、図４５のチェック処理が行われる場合の、表示部７６の表示例を示す図である。
【０５９４】
チェック処理の今回の受信確認において、新規の選局可能ステーションによるエリア限定放送の受信を、新たに確認することができた場合、選局制御部１１８は、例えば、新規の選局可能ステーションの存在を報知する報知音を、スピーカ７８から出力させ、さらに、報知画面を、表示部７６に表示させることによって、新規の選局可能ステーションの存在を、ユーザに報知する。
【０５９５】
その後、ユーザが、選局操作を行って、新規の選局可能ステーションがエリア限定放送を行っているサービスが、選択サービスとして選択されると、チューナ７２において、選択サービスが受信され、その選択サービスの画像が表示された放送受信画面が、表示部７６に表示される。
【０５９６】
複数の新規の選局可能ステーションが、エリア限定放送を行っている場合、放送受信画面には、「次のch」ボタンも表示される。
【０５９７】
そして、ユーザが、「次のch」ボタンを操作すると、他の新規の選局可能ステーションがエリア限定放送として行っているサービスが、新たに選択サービスとして選択され、その新たな選択サービスが選局される。
【０５９８】
さらに、その選局の結果得られる選択サービスの画像が表示された放送受信画面が、表示部７６に表示される。
【０５９９】
以上のように、周期的にチェック処理を行い、そのチェック処理において、新規の選局可能ステーションの存在を報知する場合には、ユーザは、移動するたびに、その移動後の位置で、GPSモードの選局処理を行わなくても、新規の選局可能ステーションの存在を認識することができる。
【０６００】
［本技術を適用したコンピュータの説明］
【０６０１】
上述したステーション３２及び受信端末３３の一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０６０２】
図４８は、上述した一連の処理をプログラムにより実行するコンピュータのハードウエアの構成例を示すブロック図である。
【０６０３】
パーソナルコンピュータ２００において、CPU（Central Processing Unit）２０１，ROM（Read Only Memory）２０２，RAM（Random Access Memory）２０３は、バス２０４により相互に接続されている。
【０６０４】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０６０５】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０６０６】
以上のように構成されるパーソナルコンピュータ２００では、CPU２０１が、例えば、記憶部２０８に記憶されているプログラムを、入出力インタフェース２０５及びバス２０４を介して、RAM２０３にロードして実行することにより、上述した一連の処理が行われる。
【０６０７】
パーソナルコンピュータ２００（CPU２０１）が実行するプログラムは、例えば、パッケージメディア等としてのリムーバブルメディア２１１に記録して提供することができる。また、プログラムは、ローカルエリアネットワーク、インターネット、ディジタル衛星放送といった、有線又は無線の伝送媒体を介して提供することができる。
【０６０８】
パーソナルコンピュータ２００では、プログラムは、リムーバブルメディア２１１をドライブ２１０に装着することにより、入出力インタフェース２０５を介して、記憶部２０８にインストールすることができる。また、プログラムは、有線又は無線の伝送媒体を介して、通信部２０９で受信し、記憶部２０８にインストールすることができる。その他、プログラムは、ROM２０２や記憶部２０８に、あらかじめインストールしておくことができる。
【０６０９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０６１０】
また、本技術の実施の形態は、上述した実施の形態に限定されるものではなく、本技術の要旨を逸脱しない範囲において種々の変更が可能である。
【０６１１】
さらに、本技術は、以下の構成とすることも可能である。
【０６１２】
［１］
任意のセグメントでの放送の放送波を送信するステーションに関するステーション情報を取得する第１の取得部と、
前記ステーション情報を記憶する記憶部と、
前記ステーション情報を用いて、所定の位置において受信可能な放送波を送信しているステーションを、選局が可能な選局可能ステーションとして選択する選択部と、
前記ステーション情報を用いて、前記選局可能ステーションが行っている前記放送の放送波の送信点で用いられる送信周波数を特定する特定部と、
前記送信周波数に従い、前記選局可能ステーションが行っている前記放送のサービスを選局する選局制御を行う選局制御部と
を備える受信装置。
［２］
前記放送の放送波の送信点ごとの送信用の周波数に関する周波数情報を取得する第２の取得部をさらに備え、
前記特定部は、前記ステーション情報に含まれる、前記送信周波数を特定するための周波数特定情報に基づいて、前記周波数情報により指定される送信点ごとの送信用の周波数の中から、前記送信周波数を特定する
［１］に記載の受信装置。
［３］
前記放送の放送波は、中継局を経由してMFN(Multi Frequency Network)により送信される
［１］又は［２］に記載の受信装置。
［４］
前記ステーション情報は、前記放送の放送波により送信されるNIT(Network Information Table)に含まれるエリア放送記述子に配置され、
前記周波数情報は、前記NITに含まれる地上分配システム記述子に配置される
［１］ないし［３］のいずれか一項に記載の受信装置。
［５］
前記選択部は、前記ステーション情報を用い、ユーザが選択した地域において受信可能な前記放送を送信しているステーションを、前記選局可能ステーションとして選択する
［１］ないし［４］のいずれか一項に記載の受信装置。
［６］
前記選局制御部は、
前記選局可能ステーションの情報を表示させ、
前記選局可能ステーションの情報の表示から、ユーザが選択したステーションが行っている前記放送のサービスを選局させる
［１］ないし［５］のいずれか一項に記載の受信装置。
［７］
前記選局制御部は、
前記選局可能ステーションによる前記放送が受信可能かどうかを確認する受信確認を行い、
放送の受信を確認することができた前記選局可能ステーションのみの情報を表示させる
［１］ないし［６］のいずれか一項に記載の受信装置。
［８］
前記放送は、ワンセグメント放送である
［１］ないし［７］のいずれか一項に記載の受信装置。
［９］
受信装置が、
任意のセグメントでの放送の放送波を送信するステーションに関するステーション情報を取得し、
前記ステーション情報を記憶し、
前記ステーション情報を用いて、所定の位置において受信可能な放送波を送信しているステーションを、選局が可能な選局可能ステーションとして選択し、
前記ステーション情報を用いて、前記選局可能ステーションが行っている前記放送の放送波の送信点で用いられる送信周波数を特定し、
前記送信周波数に従い、前記選局可能ステーションが行っている前記放送のサービスを選局する選局制御を行う
ステップを含む受信方法。
［１０］
任意のセグメントでの放送の放送波を送信するステーションに関するステーション情報を取得する第１の取得部と、
前記ステーション情報を記憶する記憶部と、
前記ステーション情報を用いて、所定の位置において受信可能な放送波を送信しているステーションを、選局が可能な選局可能ステーションとして選択する選択部と、
前記ステーション情報を用いて、前記選局可能ステーションが行っている前記放送の放送波の送信点で用いられる送信周波数を特定する特定部と、
前記送信周波数に従い、前記選局可能ステーションが行っている前記放送のサービスを選局する選局制御を行う選局制御部と
して、コンピュータを機能させるためのプログラム。
【符号の説明】
【０６１３】
３１  地上波放送局，  ３２，３２−１ないし３２−５  ステーション，  ３３，３３−１ないし３３−４  受信端末，  ３４，３４−１ないし３４−５  中継装置，  ５１  関連情報取得部，  ５２  ビデオデータ取得部，  ５３  ビデオエンコーダ，  ５４  オーディオデータ取得部，  ５５  オーディオエンコーダ，  ５６  マルチプレクサ，  ５７  送信部，  ５８，７１  アンテナ，  ７２  チューナ，  ７３  デマルチプレクサ，  ７４  ビデオデコーダ，  ７５  選択部，  ７６  表示部，  ７７  オーディオデコーダ，  ７８  スピーカ，  ７９  ブラウザ，  ８０  制御部，  ８１  操作部，  ８２  無線通信I/F，  １１１ないし１１３  ステーション情報取得部，  １１４  登録部，  １１５  記憶部，  １１６  更新部，  １１７  ステーション選択部，  １１８  選局制御部，  １１９  周波数情報取得部，  １２０  周波数特定部，  ２０１  CPU，  ２０２  ROM，  ２０３  RAM，  ２０４  バス，  ２０５  入出力インタフェース，  ２０６  入力部，  ２０７  出力部，  ２０８  記憶部，  ２０９  通信部，  ２１０  ドライブ，  ２１１  リムーバブルメディア
【図１】
2014042029.tif 000006
【図２】
2014042029.tif 000007
【図３】
2014042029.tif 000008
【図４】
2014042029.tif 000009
【図５】
2014042029.tif 000010
【図６】
2014042029.tif 000011
【図７】
2014042029.tif 000012
【図８】
2014042029.tif 000013
【図９】
2014042029.tif 000014
【図１０】
2014042029.tif 000015
【図１１】
2014042029.tif 000016
【図１２】
2014042029.tif 000017
【図１３】
2014042029.tif 000018
【図１４】
2014042029.tif 000019
【図１５】
2014042029.tif 000020
【図１６】
2014042029.tif 000021
【図１７】
2014042029.tif 000022
【図１８】
2014042029.tif 000023
【図１９】
2014042029.tif 000024
【図２０】
2014042029.tif 000025
【図２１】
2014042029.tif 000026
【図２２】
2014042029.tif 000027
【図２３】
2014042029.tif 000028
【図２４】
2014042029.tif 000029
【図２５】
2014042029.tif 000030
【図２６】
2014042029.tif 000031
【図２７】
2014042029.tif 000032
【図２８】
2014042029.tif 000033
【図２９】
2014042029.tif 000034
【図３０】
2014042029.tif 000035
【図３１】
2014042029.tif 000036
【図３２】
2014042029.tif 000037
【図３３】
2014042029.tif 000038
【図３４】
2014042029.tif 000039
【図３５】
2014042029.tif 000040
【図３６】
2014042029.tif 000041
【図３７】
2014042029.tif 000042
【図３８】
2014042029.tif 000043
【図３９】
2014042029.tif 000044
【図４０】
2014042029.tif 000045
【図４１】
2014042029.tif 000046
【図４２】
2014042029.tif 000047
【図４３】
2014042029.tif 000048
【図４４】
2014042029.tif 000049
【図４５】
2014042029.tif 000050
【図４６】
2014042029.tif 000051
【図４７】
2014042029.tif 000052
【図４８】
2014042029.tif 000053
【国際調査報告】
2014042029.tif 000054
2014042029.tif 000055
2014042029.tif 000056